(57)【要約】【課題】異なる帯域の周波数でセルの配置パターンが異なる場合において、セル間の移動においてハンドオーバの回数を減らす基地局を提供する。【解決手段】基地局は、複数の周波数の各々について、当該周波数毎に予め定められたセル配置パターンで、複数のセルを構成する。基地局は、第１のセルの通信品質よりも第２のセルの通信品質の方が優れていることを示した測定報告を移動局より受信する。基地局は、移動局の速度が閾値以上であるか否かを判定する。基地局は、第１のセルの通信品質よりも第２のセルの通信品質の方が優れている場合、移動局の速度が閾値未満であるときには、第１のセルから第２のセルへのハンドオーバを要求する信号を移動局に送信する一方、移動局の速度が閾値以上であるときには第１のセルから第２のセルへのハンドオーバを要求する信号を移動局に送信しない。【選択図】図９
2013070159.tif 000002
【特許請求の範囲】
【請求項１】
複数の周波数を同時に用いる第１の通信方式および前記複数の周波数のうちの１つの周波数を用いる第２の通信方式の少なくともいずれかで、移動局と通信する基地局であって、
前記複数の周波数の各々について、当該周波数毎に予め定められたセル配置パターンで、複数のセルを構成するセル構成手段と、
前記移動局が前記複数のセルの１つである第１のセルに在圏している場合に、前記第１のセルの通信品質よりも前記第１のセルの周波数とは異なる周波数の第２のセルの通信品質の方が優れているか否かを第１の信号を、前記移動局から受信する受信手段と、
前記第１のセルから前記第２のセルへのハンドオーバを要求する第２の信号を、前記移動局に送信する送信手段と、
前記移動局の移動速度が予め定められた値以上であるか否かを判定する第１の判定手段と、
前記第１の信号が前記第１のセルの通信品質よりも前記第２のセルの通信品質の方が優れていることを示している場合、前記第１の判定手段の判定結果が前記予め定められた値未満であるときには、前記第２の信号を前記送信手段に送信させ、前記予め定められた値以上であるときには、前記第２の信号を前記送信手段に送信させない送信制御手段とを備える、基地局。
【請求項２】
前記第１の通信方式は、互いに周波数帯域が異なる複数のコンポーネントキャリアを用いたキャリアアグリゲーションによる通信方式であって、
前記セル構成手段は、前記複数のコンポーネントキャリアの各々について、当該コンポーネントキャリア毎に予め定められたセル配置パターンで、前記複数のセルを構成し、
前記第１のセルは、プライマリ・サービング・セルであり、
前記第２のセルは、セカンダリ・サービング・セルであり、
前記セカンダリ・サービング・セルは、前記基地局により構成されるセルである、請求項１に記載の基地局。
【請求項３】
前記第１の通信方式は、互いに周波数帯域が異なる複数のコンポーネントキャリアを用いたキャリアアグリゲーションによる通信方式であって、
前記セル構成手段は、前記複数のコンポーネントキャリアの各々について、当該コンポーネントキャリア毎に予め定められたセル配置パターンで、前記複数のセルを構成し、
前記第１のセルは、プライマリ・サービング・セルであり、
前記第２のセルは、セカンダリ・サービング・セルであり、
前記セカンダリ・サービング・セルは、前記基地局に隣接する基地局により構成されるセルである、請求項１に記載の基地局。
【請求項４】
前記基地局は、前記セカンダリ・サービング・セルに対応する前記コンポーネントキャリアがアクティベートなコンフィギュア状態である場合に、前記第１の信号が受信されたことに基づき、前記プライマリ・サービング・セルと前記セカンダリ・サービング・セルとが互いに異なるセル配置パターンに属するか否かを判定する第２の判定手段をさら備え、
前記第１の判定手段は、前記第２の判定手段によって前記異なるセル配置パターンに属すると判定されたことに基づき、前記移動局の移動速度が予め定められた値以上であるか否かを判定する、請求項２または３に記載の基地局。
【請求項５】
前記送信制御手段は、前記プライマリ・サービング・セルと前記セカンダリ・サービング・セルとが互いに異なるセル配置パターンに属しないと判定された場合、前記第２の信号を前記送信手段に送信させる、請求項４に記載の基地局。
【請求項６】
前記第２の判定手段は、前記セカンダリ・サービング・セルに対応する前記コンポーネントキャリアにおけるダウンリンクおよびアップリンクがアクティベートなコンフィギュア状態である場合に、前記第１の信号が受信されるたことに基づき、前記プライマリ・サービング・セルと前記セカンダリ・サービング・セルとが互いに異なるセル配置パターンに属するか否かを判定する、請求項４または５に記載の基地局。
【請求項７】
前記セカンダリ・サービング・セルに対応する前記コンポーネントキャリアにおけるダウンリンクおよびアップリンクのうちダウンリンクのみがアクティベートなコンフィギュア状態である場合に、前記移動局からアップリンクのデータ要求があるか否かを判定する第３の判定手段をさらに備え、
前記第２の判定手段は、前記第３の判定手段によって前記アップリンクのデータ要求がないと判定された場合に、前記第１の信号が受信されたことに基づき、前記プライマリ・サービング・セルと前記セカンダリ・サービング・セルとが互いに異なるセル配置パターンに属するか否かを判定する、請求項４または５に記載の基地局。
【請求項８】
複数の周波数を同時に用いる第１の通信方式および前記複数の周波数のうちの１つの周波数を用いる第２の通信方式の少なくともいずれかで、１つ以上の基地局と通信する移動局であって、
前記複数の周波数の各々について、当該周波数毎に予め定められたセル配置パターンで、複数のセルが前記１つ以上基地局によって構成されており、
前記移動局は、
前記移動局が前記複数のセルの１つである第１のセルに在圏している場合に、前記第１のセルの通信品質と、前記第１のセルの周波数とは異なる周波数の第２のセルの通信品質とを測定する測定手段と、
前記移動局に関する速度の閾値と、第１のオフセット値と、前記第１のオフセット値よりも大きな第２のオフセット値とを、前記移動局が在圏している基地局から受信する受信手段と、
前記移動局の移動速度が前記閾値以上であるかを判定する第１の判定手段と、
前記閾値以上であると判定されたことに基づき、前記第１のセルの通信品質を示す第１の品質値に前記第２のオフセット値を加えることにより得られた第１の加算値よりも、前記第２のセルの通信品質を示す第２の品質値が大きいか否かを判定する第２の判定手段と、
前記第１のセルの通信品質よりも前記第２の通信品質の方が優れていることを示した信号を前記移動局が在圏している基地局へ送信する送信手段と、
前記第２の品質値が前記第１の加算値よりも大きいと判定された場合には、前記信号を前記送信手段に送信させ、前記第２の品質値が前記第１の加算値よりも大きくないと判定された場合には、前記信号を前記送信手段に送信させない送信制御手段とを備える、移動局。
【請求項９】
前記第１の通信方式は、互いに周波数帯域が異なる複数のコンポーネントキャリアを用いたキャリアアグリゲーションによる通信方式であって、
前記複数のセルは、前記複数のコンポーネントキャリアの各々について、当該コンポーネントキャリア毎に予め定められたセル配置パターンで構成されており、
前記第１のセルは、プライマリ・サービング・セルであり、
前記第２のセルは、セカンダリ・サービング・セルであり、
前記セカンダリ・サービング・セルは、前記移動局が在圏している基地局により構成されるセルである、請求項８に記載の移動局。
【請求項１０】
前記第１の通信方式は、互いに周波数帯域が異なる複数のコンポーネントキャリアを用いたキャリアアグリゲーションによる通信方式であって、
前記複数のセルは、前記複数のコンポーネントキャリアの各々について、当該コンポーネントキャリア毎に予め定められたセル配置パターンで構成されており、
前記第１のセルは、プライマリ・サービング・セルであり、
前記第２のセルは、セカンダリ・サービング・セルであり、
前記セカンダリ・サービング・セルは、前記移動局が在圏している基地局に隣接する基地局により構成されるセルである、請求項８に記載の移動局。
【請求項１１】
前記移動局は、前記閾値以上であると判定されたことに基づき、前記第１のセルと前記第２のセルとが互いに異なるセル配置パターンに属するか否かを判定する第３の判定手段をさらに備え、
前記第２の判定手段は、前記セカンダリ・サービング・セルに対応する前記コンポーネントキャリアがアクティベートなコンフィギュア状態である場合に、前記第３の判定手段によって前記異なるセル配置パターンに属すると判定されたことに基づき、前記プライマリ・サービング・セルの通信品質を示す第１の品質値に前記第２のオフセット値を加えることにより得られた第１の加算値よりも、前記セカンダリ・サービング・セルの通信品質を示す第２の品質値が大きいか否かを判定する、請求項９または１０に記載の移動局。
【請求項１２】
前記第２の判定手段は、前記セカンダリ・サービング・セルに対応する前記コンポーネントキャリアにおけるダウンリンクおよびアップリンクがアクティベートなコンフィギュア状態である場合に、前記第１の加算値よりも前記第２の品質値が大きいか否かを判定する、請求項１１に記載の移動局。
【請求項１３】
前記第２の判定手段は、前記セカンダリ・サービング・セルに対応する前記コンポーネントキャリアにおけるダウンリンクおよびアップリンクの少なくとも一方が非アクティベートなコンフィギュア状態である場合には、前記第１の品質値に前記第１のオフセット値を加えることにより得られる第２の加算値よりも前記第２の品質値が大きいか否かを、さらに判定し、
前記送信制御手段は、前記第２の品質値が前記第２の加算値よりも大きいと判定された場合にも、前記信号を前記送信手段に送信させる、請求項１２に記載の移動局。
【請求項１４】
前記測定手段は、前記プライマリ・サービング・セルに隣接する複数の前記セカンダリ・サービング・セルの通信品質を測定し、
前記送信制御手段は、前記複数のセカンダリ・サービング・セルのうち少なくとも１つのセカンダリ・サービング・セルについて、前記第２の品質値が前記第１の加算値よりも大きいと判定された場合、または前記第２の品質値が前記第２の加算値よりも大きいと判定された場合には、前記信号を前記送信手段に送信させる、請求項１３に記載の移動局。
【請求項１５】
前記受信手段は、前記基地局が前記キャリアアグリゲーションを開始したことに基づき、前記閾値と前記第２のオフセット値とを前記基地局から受信する、請求項９から１４のいずれか１項に記載の移動局。
【請求項１６】
前記送信手段は、送信バッファを含み、
前記移動局は、前記送信バッファにおけるアップリンクのデータ量が予め定められた量未満であるか否かを判定する第４の判定手段をさらに備え、
前記第２の判定手段は、前記セカンダリ・サービング・セルに対応する前記コンポーネントキャリアにおけるダウンリンクおよびアップリンクのうちダウンリンクのみがアクティベートなコンフィギュア状態である場合に、前記データ量が予め定められた量未満であると判定されると、前記第１の加算値よりも前記第２の品質値が大きいか否かを判定する、請求項１１に記載の移動局。
【請求項１７】
前記第２の判定手段は、前記セカンダリ・サービング・セルに対応する前記コンポーネントキャリアにおけるダウンリンクおよびアップリンクのうちダウンリンクのみがアクティベートなコンフィギュア状態である場合に、前記データ量が予め定められた量以上であると判定されると、前記第１の品質値に前記第１のオフセット値を加えることにより得られる第２の加算値よりも前記第２の品質値が大きいか否かを判定し、
前記送信制御手段は、前記第２の品質値が前記第２の加算値よりも大きいと判定された場合にも、前記信号を前記送信手段に送信させる、請求項１６に記載の移動局。
【請求項１８】
複数の周波数を同時に用いる第１の通信方式および前記複数の周波数のうちの１つの周波数を用いる第２の通信方式の少なくともいずれかで移動局と通信する基地局における通信制御方法であって、
前記基地局が、前記複数の周波数の各々について、当該周波数毎に予め定められたセル配置パターンで、複数のセルを構成するステップと、
前記基地局が、前記移動局が前記複数のセルの１つである第１のセルに在圏している場合に、前記第１のセルの通信品質よりも前記第１のセルの周波数とは異なる周波数の第２のセルの通信品質の方が優れているか否かを第１の信号を、前記移動局から受信するステップと、
前記基地局が、前記第１のセルから前記第２のセルへのハンドオーバを要求する第２の信号を、前記移動局に送信するステップと、
前記基地局が、前記移動局の移動速度が予め定められた値以上であるか否かを判定するステップと、
前記基地局が、前記第１の信号が前記第１のセルの通信品質よりも前記第２のセルの通信品質の方が優れていることを示している場合、前記判定結果が前記予め定められた値未満であるときには前記第２の信号を送信し、前記予め定められた値以上であるときには前記第２の信号を送信しないステップとを備える、通信制御方法。
【請求項１９】
複数の周波数を同時に用いる第１の通信方式および前記複数の周波数のうちの１つの周波数を用いる第２の通信方式の少なくともいずれかで１つ以上の基地局と通信する移動局における通信制御方法であって、
前記複数の周波数の各々について、当該周波数毎に予め定められたセル配置パターンで、複数のセルが前記１つ以上基地局によって構成されており、
前記通信制御方法は、
前記移動局が、前記移動局が前記複数のセルの１つである第１のセルに在圏している場合に、前記第１のセルの通信品質と、前記第１のセルの周波数とは異なる周波数の第２のセルの通信品質とを測定するステップと、
前記移動局が、前記移動局に関する速度の閾値と、第１のオフセット値と、前記第１のオフセット値よりも大きな第２のオフセット値とを、前記移動局が在圏している基地局から受信するステップと、
前記移動局が、前記移動局の移動速度が前記閾値以上であるかを判定するステップと、
前記移動局が、前記閾値以上であると判定されたことに基づき、前記第１のセルの通信品質を示す第１の品質値に前記第２のオフセット値を加えることにより得られた第１の加算値よりも、前記第２のセルの通信品質を示す第２の品質値が大きいか否かを判定するステップと、
前記移動局が、前記第２の品質値が前記第１の加算値よりも大きいと判定された場合には、前記第１のセルの通信品質よりも前記第２の通信品質の方が優れていることを示した信号を前記移動局が在圏している基地局へ送信するステップと、
前記移動局が、前記第２の品質値が前記第１の加算値よりも大きくないと判定された場合には、前記信号を送信しないステップとを備える、通信制御方法。
【請求項２０】
複数の周波数を同時に用いる第１の通信方式および前記複数の周波数のうちの１つの周波数を用いる第２の通信方式の少なくともいずれかで移動局と通信する基地局を制御するためのプログラムであって、
前記複数の周波数の各々について、当該周波数毎に予め定められたセル配置パターンで、複数のセルを構成するステップと、
前記移動局が前記複数のセルの１つである第１のセルに在圏している場合に、前記第１のセルの通信品質よりも前記第１のセルの周波数とは異なる周波数の第２のセルの通信品質の方が優れているか否かを第１の信号を、前記移動局から受信するステップと、
前記第１のセルから前記第２のセルへのハンドオーバを要求する第２の信号を、前記移動局に送信するステップと、
前記移動局の移動速度が予め定められた値以上であるか否かを判定するステップと、
前記第１の信号が前記第１のセルの通信品質よりも前記第２のセルの通信品質の方が優れていることを示している場合、前記判定結果が前記予め定められた値未満であるときには前記第２の信号を送信し、前記予め定められた値以上であるときには前記第２の信号を送信しないステップとを、前記基地局に実行させる、プログラム。
【請求項２１】
複数の周波数を同時に用いる第１の通信方式および前記複数の周波数のうちの１つの周波数を用いる第２の通信方式の少なくともいずれかで１つ以上の基地局と通信する移動局を制御するためのプログラムであって、
前記複数の周波数の各々について、当該周波数毎に予め定められたセル配置パターンで、複数のセルが前記１つ以上基地局によって構成されており、
前記プログラムは、
前記移動局が前記複数のセルの１つである第１のセルに在圏している場合に、前記第１のセルの通信品質と、前記第１のセルの周波数とは異なる周波数の第２のセルの通信品質とを測定するステップと、
前記移動局に関する速度の閾値と、第１のオフセット値と、前記第１のオフセット値よりも大きな第２のオフセット値とを、前記移動局が在圏している基地局から受信するステップと、
前記移動局の移動速度が前記閾値以上であるかを判定するステップと、
前記閾値以上であると判定されたことに基づき、前記第１のセルの通信品質を示す第１の品質値に前記第２のオフセット値を加えることにより得られた第１の加算値よりも、前記第２のセルの通信品質を示す第２の品質値が大きいか否かを判定するステップと、
前記第２の品質値が前記第１の加算値よりも大きいと判定された場合には、前記第１のセルの通信品質よりも前記第２の通信品質の方が優れていることを示した信号を前記移動局が在圏している基地局へ送信するステップと、
前記第２の品質値が前記第１の加算値よりも大きくないと判定された場合には、前記信号を送信しないステップとを、前記移動局に実行させる、プログラム。
【発明の詳細な説明】
【技術分野】
【０００１】
本発明は、基地局、移動局、通信制御方法、およびプログラムに関する。本発明は、特に、キャリアアグリゲーションに適用した基地局および移動局、基地局および移動局における通信制御方法、および基地局および移動局を制御するためのプログラムに関する。
【背景技術】
【０００２】
３ＧＰＰ（3rd Generation Partnership Project）では、現在、ＬＴＥ−Ａ（Long Term Evolution-Advanced）の仕様検討が行われている。ＬＴＥ−Ａでは、ＬＴＥよりも高速の通信を実現することが要求されている。このため、ＬＴＥ−Ａでは、ＬＴＥよりも広帯域（ＬＴＥの２０ＭＨｚの帯域を越える１００ＭＨｚまでの帯域）をサポートすることが求められている。しかしながら、世界的に連続した広帯域の周波数領域をＬＴＥ−Ａ用として確保することは難しい。
【０００３】
それゆえ、ＬＴＥ−Ａでは、ＬＴＥとの互換性を可能な限り維持する目的から、キャリアアグリゲーション（ＣＡ：Career Aggregation）技術が検討されている。キャリアアグリゲーション技術は、コンポーネントキャリア（ＣＣ：Component Career）と呼ばれる帯域幅が２０ＭＨｚまでの周波数帯域を複数まとめて通信を行うことにより最大１００ＭＨｚの帯域幅を確保し、これにより高速かつ大容量の通信を実現させる技術である。
【０００４】
キャリアアグリゲーション技術を用いた通信で使用されるコンポーネントキャリアは、キャリアアグリゲーション通信の開始時や再設定時に基地局から端末固有（UE specific）で割り当てられる。通信を行なうサービングセル（Serving Cell）は、１つのプライマリ・サービング・セル（Primary Serving Cell（以下、「Ｐセル」と称する））と、１つ以上のセカンダリ・サービング・セル（Secondary Serving Cell（以下、「Ｓセル」と称する））との組み合わせにより構成される。
【０００５】
非特許文献１の７．５節に示すように、Ｐセルは、制御情報（C-Plane: Control Plane）とデータ情報（U-Plane: User Plane）との通信を行なう。また、Ｐセルに対応するコンポーネントキャリアを、ＰＣＣ（Primary Component Carrier）と呼ぶ。Ｓセルは、データ情報（U-Plane）のみの通信を行なう。また、Ｓセルに対応するコンポーネントキャリアを、ＳＣＣ（Secondary Component Carrier）と呼ぶ。
【０００６】
ＳＣＣには、コンフィギュア（configure）状態と、非コンフィギュア状態とがある。また、コンフィギュア状態には、アクティベート（activate）状態と、非アクティベート（deactivate）状態とがある。キャリアアグリゲーションを行なっていない場合、Ｐセル以外の全てのセルは、非コンフィギュア状態である。キャリアアグリゲーションを行なう場合、Ｓセルの追加が行なわれるが、このとき追加されたＳＣＣは、非アクティベートなコンフィギュア状態となる。
【０００７】
非アクティベート状態では、ＣＱＩ（Channel Quality Indicator）等の直ぐに通信ができるような品質測定が行われるが、データ通信自体は発生しない。基地局は、移動局から報告される非アクティベートなＳセルのＣＱＩがよくなるなどの理由によりＳセルでも通信を行ったほうが良いと判断すると、アクティベート状態に変更し、当該移動局と通信を開始する。
【０００８】
移動局は、ランダムアクセス手順を用いたハンドオーバによりＰセルの変更を行なう。この場合、基地局および移動局は、一度ＳＣＣを非アクティベート状態にしてＳＣＣとの通信を終え、基地局は必要であれば新しいＰセルで再度ＳＣＣをアクティベート状態にすることが、３ＧＰＰ  ＲＡＮ２＃７０ｂｉｓ会合で合意されている。
【０００９】
非特許文献１におけるＡｎｎｅｘのＪ．１節に示すとおり、３ＧＰＰでは、基地局の配置について基本的な５つのパターンが提案されている。図２０は、基地局の配置について基本的な５つのパターンのうちの３つ目のパターンを示した図である。図２０を参照して、同じ基地局（ｅＮＢ（evolutional Node B））のセルＣ１とセルＣ２とは、一部の領域が重なるように位置している。周波数Ｆ２用のアンテナは、セルの端のスループットが増加するように、セルＣ１の境界に向いて配置される。なお、セルＣ１は、周波数Ｆ１の電波により形成され、セルＣ２は、周波数Ｆ２の電波による。周波数Ｆ１と周波数Ｆ２とは、異なる帯域の周波数である。たとえば、周波数Ｆ１は８００ＭＨｚまたは２ＧＨｚであり、周波数Ｆ２は３．５ＧＨｚである。
【００１０】
特許文献１には、移動通信システムに関するハンドオーバの技術が開示されている。具体的には、移動通信システムは、（i）複数の基地局の各セルを、通信エリアの広いマクロセルと、このマクロセル内を細分化する通信エリアの狭いマイクロセルとで構成し、（ii）移動局の移動速度に応じて、マクロセルとマイクロセルとを逐次選択する。詳しくは、特許文献１の移動通信システムは、移動局が高速で移動しているときにはマクロセルを選択し、移動局が低速で移動しているときにはマイクロセルを選択する。移動通信システムでは、当該構成により、ハンドオーバの回数を減らそうとしている。
【００１１】
特許文献２には、特許文献１と同様に、移動通信システムに関するハンドオーバの技術が開示されている。具体的には、移動通信システムの基地局は、移動局の移動の遅速に応じてハンドオーバ先の候補を指定する。詳しくは、基地局は、エリアの連続性の高い周波数帯域を、移動速度の速い移動局のハンドオーバ先の候補として優先的に選択する、エリアの連続性の低い周波数帯域を、移動速度の遅い移動局のハンドオーバ先の候補として優先的に選択する。移動通信システムでは、基地局の当該構成により、ハンドオーバの成功率を向上しようとしている。
【００１２】
ハンドオーバは、基地局での判定に基づき実施される。非特許文献２における５．５．４節に示すように、当該判定のトリガは、通常、移動局からの測定報告メッセージ（Measurement Report Message）による通知によるものとなる。ＥｖｅｎｔＡ３は、Ｐセルよりも周辺セルの方が、通信品質がよいことを表す通知である。基地局は周期的にリファレンスシグナルを送信している。移動局は基地局からのリファレンスシグナルを受信し、受信レベル（ＲＳＲＰ：Reference Signal Received Power）や受信品質（ＲＳＲＱ：Reference Signal Received Quality）を測定する。上述した通信品質の判定にはＲＳＲＰもしくはＲＳＲＱを用いるが、ＥｖｅｎｔＡ３のトリガとしてどちらの値を用いるかはあらかじめ基地局が移動局に通知する。また、このイベント発生条件には、周波数毎やセル毎によるオフセットの差が規定されている。
【先行技術文献】
【特許文献】
【００１３】
【特許文献１】特開平５−１３００１８号公報
【特許文献２】特開２００６−３０３７３９号公報
【非特許文献】
【００１４】
【非特許文献１】3GPP TS 36.300 V10.0.0 (2010-06), Technical Specification, 3rd Generation Partnership Project; Technical Specification Group Radio Access Network; Evolved Universal Terrestrial Radio Access (E-UTRA) and Evolved Universal Terrestrial Radio Access Network (E-UTRAN); Overall description; Stage 2 (Release 10)
【非特許文献２】3GPP TS 36.331 V10.0.0 (2010-12), Technical Specification, 3rd Generation Partnership Project; Technical Specification Group Radio Access Network; Evolved Universal Terrestrial Radio Access (E-UTRA); Radio Resource Control (RRC); Protocol specification (Release 10)
【発明の概要】
【発明が解決しようとする課題】
【００１５】
しかしながら、図２０に示したような複数の周波数で配置が異なる基地局を用いる場合には、場所によって通信品質の良い周波数と悪い周波数とが変わる。このため、移動局の移動時に、ハンドオーバの回数が増えてしまう。
【００１６】
また、引用文献１では、移動局の移動速度に応じて、マクロセルおよびマイクロセルといった大きさのかなり異なるセル間のいずれかを選択する構成であるため、図２０に示したように同じような大きさのセル間の移動においてハンドオーバを減らすことまでは考慮されていない。
【００１７】
また、引用文献２は、ハンドオーバの成功率を上げることを目的としており、ハンドオーバの回数を低減することまでは考慮されていない。
【００１８】
本願発明は、上記の問題点に鑑みなされたものであって、その目的は、異なる帯域の周波数でセルの配置パターンが異なる場合において、セル間の移動においてハンドオーバの回数を減らすことが可能な基地局、移動局、通信制御方法、およびプログラムを提供することにある。
【課題を解決するための手段】
【００１９】
本発明のある局面に従うと、基地局は、複数の周波数を同時に用いる第１の通信方式および前記複数の周波数のうちの１つの周波数を用いる第２の通信方式の少なくともいずれかで、移動局と通信する。基地局は、前記複数の周波数の各々について、当該周波数毎に予め定められたセル配置パターンで、複数のセルを構成するセル構成手段と、前記移動局が前記複数のセルの１つである第１のセルに在圏している場合に、前記第１のセルの通信品質よりも前記第１のセルの周波数とは異なる周波数の第２のセルの通信品質の方が優れているか否かを第１の信号を、前記移動局から受信する受信手段と、前記第１のセルから前記第２のセルへのハンドオーバを要求する第２の信号を、前記移動局に送信する送信手段と、前記移動局の移動速度が予め定められた値以上であるか否かを判定する第１の判定手段と、前記第１の信号が前記第１のセルの通信品質よりも前記第２のセルの通信品質の方が優れていることを示している場合、前記第１の判定手段の判定結果が前記予め定められた値未満であるときには、前記第２の信号を前記送信手段に送信させ、前記予め定められた値以上であるときには、前記第２の信号を前記送信手段に送信させない送信制御手段とを備える。
【００２０】
好ましくは、前記第１の通信方式は、互いに周波数帯域が異なる複数のコンポーネントキャリアを用いたキャリアアグリゲーションによる通信方式である。前記セル構成手段は、前記複数のコンポーネントキャリアの各々について、当該コンポーネントキャリア毎に予め定められたセル配置パターンで、前記複数のセルを構成する。前記第１のセルは、プライマリ・サービング・セルである。前記第２のセルは、セカンダリ・サービング・セルである。前記セカンダリ・サービング・セルは、前記基地局により構成されるセルである。
【００２１】
好ましくは、前記第１の通信方式は、互いに周波数帯域が異なる複数のコンポーネントキャリアを用いたキャリアアグリゲーションによる通信方式である。前記セル構成手段は、前記複数のコンポーネントキャリアの各々について、当該コンポーネントキャリア毎に予め定められたセル配置パターンで、前記複数のセルを構成する。前記第１のセルは、プライマリ・サービング・セルである。前記第２のセルは、セカンダリ・サービング・セルである。前記セカンダリ・サービング・セルは、前記基地局に隣接する基地局により構成されるセルである。
【００２２】
好ましくは、前記基地局は、前記セカンダリ・サービング・セルに対応する前記コンポーネントキャリアがアクティベートなコンフィギュア状態である場合に、前記第１の信号が受信されたことに基づき、前記プライマリ・サービング・セルと前記セカンダリ・サービング・セルとが互いに異なるセル配置パターンに属するか否かを判定する第２の判定手段をさら備える。前記第１の判定手段は、前記第２の判定手段によって前記異なるセル配置パターンに属すると判定されたことに基づき、前記移動局の移動速度が予め定められた値以上であるか否かを判定する。
【００２３】
好ましくは、前記送信制御手段は、前記プライマリ・サービング・セルと前記セカンダリ・サービング・セルとが互いに異なるセル配置パターンに属しないと判定された場合、前記第２の信号を前記送信手段に送信させる。
【００２４】
好ましくは、前記第２の判定手段は、前記セカンダリ・サービング・セルに対応する前記コンポーネントキャリアにおけるダウンリンクおよびアップリンクがアクティベートなコンフィギュア状態である場合に、前記第１の信号が受信されるたことに基づき、前記プライマリ・サービング・セルと前記セカンダリ・サービング・セルとが互いに異なるセル配置パターンに属するか否かを判定する。
【００２５】
好ましくは、前記セカンダリ・サービング・セルに対応する前記コンポーネントキャリアにおけるダウンリンクおよびアップリンクのうちダウンリンクのみがアクティベートなコンフィギュア状態である場合に、前記移動局からアップリンクのデータ要求があるか否かを判定する第３の判定手段をさらに備える。前記第２の判定手段は、前記第３の判定手段によって前記アップリンクのデータ要求がないと判定された場合に、前記第１の信号が受信されたことに基づき、前記プライマリ・サービング・セルと前記セカンダリ・サービング・セルとが互いに異なるセル配置パターンに属するか否かを判定する。
【００２６】
本発明の他の局面に従うと、移動局は、複数の周波数を同時に用いる第１の通信方式および前記複数の周波数のうちの１つの周波数を用いる第２の通信方式の少なくともいずれかで、１つ以上の基地局と通信する。前記複数の周波数の各々について、当該周波数毎に予め定められたセル配置パターンで、複数のセルが前記１つ以上基地局によって構成されている。移動局は、前記移動局が前記複数のセルの１つである第１のセルに在圏している場合に、前記第１のセルの通信品質と、前記第１のセルの周波数とは異なる周波数の第２のセルの通信品質とを測定する測定手段と、前記移動局に関する速度の閾値と、第１のオフセット値と、前記第１のオフセット値よりも大きな第２のオフセット値とを、前記移動局が在圏している基地局から受信する受信手段と、前記移動局の移動速度が前記閾値以上であるかを判定する第１の判定手段と、前記閾値以上であると判定されたことに基づき、前記第１のセルの通信品質を示す第１の品質値に前記第２のオフセット値を加えることにより得られた第１の加算値よりも、前記第２のセルの通信品質を示す第２の品質値が大きいか否かを判定する第２の判定手段と、前記第１のセルの通信品質よりも前記第２の通信品質の方が優れていることを示した信号を前記移動局が在圏している基地局へ送信する送信手段と、前記第２の品質値が前記第１の加算値よりも大きいと判定された場合には、前記信号を前記送信手段に送信させ、前記第２の品質値が前記第１の加算値よりも大きくないと判定された場合には、前記信号を前記送信手段に送信させない送信制御手段とを備える。
【００２７】
好ましくは、前記第１の通信方式は、互いに周波数帯域が異なる複数のコンポーネントキャリアを用いたキャリアアグリゲーションによる通信方式である。前記複数のセルは、前記複数のコンポーネントキャリアの各々について、当該コンポーネントキャリア毎に予め定められたセル配置パターンで構成されている。前記第１のセルは、プライマリ・サービング・セルである。前記第２のセルは、セカンダリ・サービング・セルである。前記セカンダリ・サービング・セルは、前記移動局が在圏している基地局により構成されるセルである。
【００２８】
好ましくは、前記第１の通信方式は、互いに周波数帯域が異なる複数のコンポーネントキャリアを用いたキャリアアグリゲーションによる通信方式である。前記複数のセルは、前記複数のコンポーネントキャリアの各々について、当該コンポーネントキャリア毎に予め定められたセル配置パターンで構成されている。前記第１のセルは、プライマリ・サービング・セルである。前記第２のセルは、セカンダリ・サービング・セルである。前記セカンダリ・サービング・セルは、前記移動局が在圏している基地局に隣接する基地局により構成されるセルである。
【００２９】
好ましくは、前記移動局は、前記閾値以上であると判定されたことに基づき、前記第１のセルと前記第２のセルとが互いに異なるセル配置パターンに属するか否かを判定する第３の判定手段をさらに備える。前記第２の判定手段は、前記セカンダリ・サービング・セルに対応する前記コンポーネントキャリアがアクティベートなコンフィギュア状態である場合に、前記第３の判定手段によって前記異なるセル配置パターンに属すると判定されたことに基づき、前記プライマリ・サービング・セルの通信品質を示す第１の品質値に前記第２のオフセット値を加えることにより得られた第１の加算値よりも、前記セカンダリ・サービング・セルの通信品質を示す第２の品質値が大きいか否かを判定する。
【００３０】
好ましくは、前記第２の判定手段は、前記セカンダリ・サービング・セルに対応する前記コンポーネントキャリアにおけるダウンリンクおよびアップリンクがアクティベートなコンフィギュア状態である場合に、前記第１の加算値よりも前記第２の品質値が大きいか否かを判定する。
【００３１】
好ましくは、前記第２の判定手段は、前記セカンダリ・サービング・セルに対応する前記コンポーネントキャリアにおけるダウンリンクおよびアップリンクの少なくとも一方が非アクティベートなコンフィギュア状態である場合には、前記第１の品質値に前記第１のオフセット値を加えることにより得られる第２の加算値よりも前記第２の品質値が大きいか否かを、さらに判定する。前記送信制御手段は、前記第２の品質値が前記第２の加算値よりも大きいと判定された場合にも、前記信号を前記送信手段に送信させる。
【００３２】
好ましくは、前記測定手段は、前記プライマリ・サービング・セルに隣接する複数の前記セカンダリ・サービング・セルの通信品質を測定する。前記送信制御手段は、前記複数のセカンダリ・サービング・セルのうち少なくとも１つのセカンダリ・サービング・セルについて、前記第２の品質値が前記第１の加算値よりも大きいと判定された場合、または前記第２の品質値が前記第２の加算値よりも大きいと判定された場合には、前記信号を前記送信手段に送信させる。
【００３３】
好ましくは、前記受信手段は、前記基地局が前記キャリアアグリゲーションを開始したことに基づき、前記閾値と前記第２のオフセット値とを前記基地局から受信する。
【００３４】
好ましくは、前記送信手段は、送信バッファを含む。前記移動局は、前記送信バッファにおけるアップリンクのデータ量が予め定められた量未満であるか否かを判定する第４の判定手段をさらに備える。前記第２の判定手段は、前記セカンダリ・サービング・セルに対応する前記コンポーネントキャリアにおけるダウンリンクおよびアップリンクのうちダウンリンクのみがアクティベートなコンフィギュア状態である場合に、前記データ量が予め定められた量未満であると判定されると、前記第１の加算値よりも前記第２の品質値が大きいか否かを判定する。
【００３５】
好ましくは、前記第２の判定手段は、前記セカンダリ・サービング・セルに対応する前記コンポーネントキャリアにおけるダウンリンクおよびアップリンクのうちダウンリンクのみがアクティベートなコンフィギュア状態である場合に、前記データ量が予め定められた量以上であると判定されると、前記第１の品質値に前記第１のオフセット値を加えることにより得られる第２の加算値よりも前記第２の品質値が大きいか否かを判定する。前記送信制御手段は、前記第２の品質値が前記第２の加算値よりも大きいと判定された場合にも、前記信号を前記送信手段に送信させる。
【００３６】
本発明のさらに他の局面に従うと、通信制御方法は、複数の周波数を同時に用いる第１の通信方式および前記複数の周波数のうちの１つの周波数を用いる第２の通信方式の少なくともいずれかで移動局と通信する基地局における通信制御方法である。通信制御方法は、前記基地局が、前記複数の周波数の各々について、当該周波数毎に予め定められたセル配置パターンで、複数のセルを構成するステップと、前記基地局が、前記移動局が前記複数のセルの１つである第１のセルに在圏している場合に、前記第１のセルの通信品質よりも前記第１のセルの周波数とは異なる周波数の第２のセルの通信品質の方が優れているか否かを第１の信号を、前記移動局から受信するステップと、前記基地局が、前記第１のセルから前記第２のセルへのハンドオーバを要求する第２の信号を、前記移動局に送信するステップと、前記基地局が、前記移動局の移動速度が予め定められた値以上であるか否かを判定するステップと、前記基地局が、前記第１の信号が前記第１のセルの通信品質よりも前記第２のセルの通信品質の方が優れていることを示している場合、前記判定結果が前記予め定められた値未満であるときには前記第２の信号を送信し、前記予め定められた値以上であるときには前記第２の信号を送信しないステップとを備える。
【００３７】
本発明のさらに他の局面に従うと、通信制御方法は、複数の周波数を同時に用いる第１の通信方式および前記複数の周波数のうちの１つの周波数を用いる第２の通信方式の少なくともいずれかで１つ以上の基地局と通信する移動局における通信制御方法である。前記複数の周波数の各々について、当該周波数毎に予め定められたセル配置パターンで、複数のセルが前記１つ以上基地局によって構成されている。前記通信制御方法は、前記移動局が、前記移動局が前記複数のセルの１つである第１のセルに在圏している場合に、前記第１のセルの通信品質と、前記第１のセルの周波数とは異なる周波数の第２のセルの通信品質とを測定するステップと、前記移動局が、前記移動局に関する速度の閾値と、第１のオフセット値と、前記第１のオフセット値よりも大きな第２のオフセット値とを、前記移動局が在圏している基地局から受信するステップと、前記移動局が、前記移動局の移動速度が前記閾値以上であるかを判定するステップと、前記移動局が、前記閾値以上であると判定されたことに基づき、前記第１のセルの通信品質を示す第１の品質値に前記第２のオフセット値を加えることにより得られた第１の加算値よりも、前記第２のセルの通信品質を示す第２の品質値が大きいか否かを判定するステップと、前記移動局が、前記第２の品質値が前記第１の加算値よりも大きいと判定された場合には、前記第１のセルの通信品質よりも前記第２の通信品質の方が優れていることを示した信号を前記移動局が在圏している基地局へ送信するステップと、前記移動局が、前記第２の品質値が前記第１の加算値よりも大きくないと判定された場合には、前記信号を送信しないステップとを備える。
【００３８】
本発明のさらに他の局面に従うと、プログラムは、複数の周波数を同時に用いる第１の通信方式および前記複数の周波数のうちの１つの周波数を用いる第２の通信方式の少なくともいずれかで移動局と通信する基地局を制御するためのプログラムである。プログラムは、前記複数の周波数の各々について、当該周波数毎に予め定められたセル配置パターンで、複数のセルを構成するステップと、前記移動局が前記複数のセルの１つである第１のセルに在圏している場合に、前記第１のセルの通信品質よりも前記第１のセルの周波数とは異なる周波数の第２のセルの通信品質の方が優れているか否かを第１の信号を、前記移動局から受信するステップと、前記第１のセルから前記第２のセルへのハンドオーバを要求する第２の信号を、前記移動局に送信するステップと、前記移動局の移動速度が予め定められた値以上であるか否かを判定するステップと、前記第１の信号が前記第１のセルの通信品質よりも前記第２のセルの通信品質の方が優れていることを示している場合、前記判定結果が前記予め定められた値未満であるときには前記第２の信号を送信し、前記予め定められた値以上であるときには前記第２の信号を送信しないステップとを、前記基地局に実行させる。
【００３９】
本発明のさらに他の局面に従うと、プログラムは、複数の周波数を同時に用いる第１の通信方式および前記複数の周波数のうちの１つの周波数を用いる第２の通信方式の少なくともいずれかで１つ以上の基地局と通信する移動局を制御するためのプログラムである。前記複数の周波数の各々について、当該周波数毎に予め定められたセル配置パターンで、複数のセルが前記１つ以上基地局によって構成されており、前記プログラムは、前記移動局が前記複数のセルの１つである第１のセルに在圏している場合に、前記第１のセルの通信品質と、前記第１のセルの周波数とは異なる周波数の第２のセルの通信品質とを測定するステップと、前記移動局に関する速度の閾値と、第１のオフセット値と、前記第１のオフセット値よりも大きな第２のオフセット値とを、前記移動局が在圏している基地局から受信するステップと、前記移動局の移動速度が前記閾値以上であるかを判定するステップと、前記閾値以上であると判定されたことに基づき、前記第１のセルの通信品質を示す第１の品質値に前記第２のオフセット値を加えることにより得られた第１の加算値よりも、前記第２のセルの通信品質を示す第２の品質値が大きいか否かを判定するステップと、前記第２の品質値が前記第１の加算値よりも大きいと判定された場合には、前記第１のセルの通信品質よりも前記第２の通信品質の方が優れていることを示した信号を前記移動局が在圏している基地局へ送信するステップと、前記第２の品質値が前記第１の加算値よりも大きくないと判定された場合には、前記信号を送信しないステップとを、前記移動局に実行させる。
【発明の効果】
【００４０】
本発明によれば、異なる帯域の周波数でセルの配置パターンが異なる場合において、セル間の移動においてハンドオーバの回数を減らすことが可能となる。
【図面の簡単な説明】
【００４１】
【図１】基地局により構成される複数のセルを説明するための図である。
【図２】複数の基地局が配備されたエリアを移動局が通過する状態を示した図である。
【図３】移動局が受信する電波の受信レベルを表した図である。
【図４】Ｓセルのダウンリンクのみアクティベートな状態でキャリアアグリゲーションを行なっていることを示した模式図である。
【図５】基地局および基地局と通信を行なう移動局のブロック図である。
【図６】基地局の通信処理部における制御部の機能ブロック図である。
【図７】比較例であって、従来の基地局を有する通信システムにおけるハンドオーバの処理流れを説明するための図である。
【図８】基地局を有する通信システムにおけるハンドオーバの処理の流れを説明するための図である。
【図９】図８のステップＳ２４に示した処理Ａの詳細を示したフローチャートである。
【図１０】セル配置パターンを説明するための図である。
【図１１】セル配置パターンの異同を説明するための図である。
【図１２】基地局の典型的なハードウェア構成を示した図である。
【図１３】データ要求判定部を用いる場合における、図８のステップＳ２４に示した処理Ａの詳細を示したフローチャートである。
【図１４】基地局および基地局と通信を行なう移動局のブロック図である。
【図１５】移動局の制御部の機能ブロック図である。
【図１６】基地局および移動局を有する通信システムにおけるハンドオーバの処理の流れを説明するための図である。
【図１７】図１６におけるステップＳ３０８の処理の詳細を示したフローチャートである。
【図１８】移動局のハードウェア構成を表した図である。
【図１９】データ量判定部を用いる場合における、図１６に示したステップＳ３０８の処理の詳細を示したフローチャートである。
【図２０】基地局の配置について基本的な５つのパターンのうちの３つ目のパターンを示した図である。
【発明を実施するための形態】
【００４２】
以下、図面を参照しつつ、本発明の各実施の形態に係る電子機器について説明する。以下の説明では、同一の部品には同一の符号を付してある。それらの名称および機能も同じである。したがって、それらについての詳細な説明は繰り返さない。
【００４３】
［実施の形態１］
（Ａ．概要）
図１は、基地局１０により構成される複数のセルを説明するための図である。図１（ａ）は、基地局１０が送信する周波数ｆ１の電波により構成される３つのセル１０ａ，１０ｂ，１０ｃを表した図である。図１（ｂ）は、基地局１０が送信する周波数ｆ２の電波により構成される３つのセル１０ｄ，１０ｅ，１０ｆを表した図である。図１（ｃ）は、図１（ａ）のセルと図１（ｂ）のセルとを重ね合わせた図である。
【００４４】
基地局１０は、互いに周波数帯域が異なる複数のコンポーネントキャリアを用いたキャリアアグリゲーションによって、移動局と通信する。基地局１０は、複数のコンポーネントキャリアの各々について、当該コンポーネントキャリア毎に予め定められたセル配置パターンで、複数のセルを構成する。図１を参照して説明すると、以下の通りである。
【００４５】
基地局１０は、第１の周波数帯域のコンポーネントキャリアを用いて、移動局と通信を行なう。具体的には、基地局１０は、第１の周波数帯域の周波数ｆ１の電波を用いて移動局と通信を行なう。基地局１０は、周波数ｆ１の電波によって、第１のセル配置パターンで３つのセル１０ａ，１０ｂ，１０ｃを構成する。
【００４６】
図１（ｂ）を参照して、基地局１０は、第１の周波数帯域とは異なる第２の周波数帯域のコンポーネントキャリアを用いて、移動局と通信を行なう。具体的には、基地局１０は、第２の周波数帯域の周波数ｆ２の電波で移動局と通信を行なう。基地局１０は、周波数ｆ２の電波によって、第２のセル配置パターンで３つのセル１０ｄ，１０ｅ，１０ｆを構成する。第２のセル配置パターンは、第１のセル配置パターンを、基地局１０を中心にして時計方向または半時計方向に６０度回転させたパターンである。
【００４７】
図１（ｃ）を参照して、基地局１０は、周波数ｆ１と周波数ｆ２との電波を送信することにより、６つのセル１０ａ，１０ｂ，１０ｃ，１０ｄ，１０ｅ，１０ｆを構成する。各セルは、周波数が異なる２つのセルと領域の一部が重複する。たとえば、周波数ｆ１の電波により構成されるセル１０ａは、周波数ｆ２の電波により構成されるセル１０ｄ，１０ｆと領域の一部が重複する。このように、基地局１０は、上述した、非特許文献１におけるＡｎｎｅｘのＪ．１節の３つ目のパターンを構成する。
【００４８】
なお、以下で述べる他の基地局についても、図１に示した参照符号と同様の手法で参照符号を付す。つまり、基地局の参照符号がＫ（Ｋ：自然数）の場合、周波数ｆ１の電波によって、第１のセル配置パターンで時計回りに３つのセルＫａ，Ｋｂ，Ｋｃが構成され（図１（ａ）参照）、周波数ｆ２の電波によって、第２のセル配置パターンで時計回りに３つのセルＫｄ，Ｋｅ，Ｋｆが構成される（図１（ｂ）参照）。
【００４９】
図２は、基地局１０と同じ構成を有する複数の基地局１１〜１５が配備されたエリアを移動局が通過する状態を示した図である。図２を参照して、移動局が矢印の始点から終点の方向に移動すると、移動局は、少なくとも、セル１１ａ，セル１１ｄ,セル１２ｃ，セル１２ａ,セル１２ｄ，セル１３ｃ,セル１３ａを通る。
【００５０】
図３は、移動局が受信する電波の受信レベルを表した図である。図３を参照して、従来の通信システムにおいては、移動局は、移動局の移動速度（以下、「速度Ｖ」と称する）にかかわらず、常に最も受信レベル（ＲＳＲＰ：Reference Signal Received Power）の優れたセルへのハンドオーバを行なう。このため、移動局は、白抜きの矢印の位置でハンドオーバを行なう。つまり、図３の場合には、移動局は、８回のハンドオーバを行なう。
【００５１】
一方、基地局１０を備える通信システムにおいては、移動局の速度が予め定められた閾値よりも速い場合（以下、「高速移動時」とも称する）に、ハンドオーバのトリガを変更することにより、不要なハンドオーバを行なわないようにする。具体的には、基地局１０は、移動局から“Ｐセルの受信レベルよりもＳセルの受信レベルの方が優れている”との通知（具体的には、Ｅｖｅｎｔ Ａ３の通知）を受けても、移動局にハンドオーバを実行させない。
【００５２】
このような構成により、移動局は、高速移動時には、ハッチングが施された矢印の位置でしかハンドオーバを行なわない。つまり、移動局は、同じ周波数のセルを構成する基地局にしかハンドオーバしない。つまり、図３の場合には、４回しかハンドオーバが実施されない。このため、ハンドオーバの回数を減らすことができる。
【００５３】
ここで、高速移動時にハンドオーバのトリガを変更する理由は、以下の通りである。制御チャネルはＰセルでのみ通信を行なうため、Ｐセルの通信品質がＳセルの通信品質を下回るような状況は好ましくない。それゆえ、基地局１０は、高速移動時のみハンドオーバのトリガを変更し、低速移動時および静止時にはトリガを変更せずに、移動局に通常通りのハンドオーバを実行させる。
【００５４】
ところで、従来のキャリアアグリゲーションを行なわないＬＴＥでは、通常、常に最も受信レベルのよいセルにハンドオーバしなければ、スループットは低下してしまう。しかしながら、基地局１０は、キャリアアグリゲーションを行なうことにより、ハンドオーバを行なわなくても、通信品質のよい周波数を用いることにより、ユーザデータのスループットの低下は発生しない。つまり、基地局１０は、キャリアアグリゲーションによって周波数ｆ１を用いた通信と周波数ｆ２を用いた通信とができるため、基地局１０と移動局との間のスループットは低下しない。
【００５５】
上記では、移動局が高速移動している場合にハンドオーバのトリガを変更する構成を例に挙げたが、後述するように、移動局が高速移動をしており、かつ上りのデータ量が少ない場合に、ハンドオーバのトリガを変更するように、基地局１０を構成することが好ましい。
【００５６】
図４は、Ｓセルのダウンリンクのみアクティベートな状態でキャリアアグリゲーションを行なっていることを示した模式図である。なお、矢印の線幅が広いほど、通信品質が優れていることを表している。図４（ａ）は、左側のＰセルの周波数帯域における通信品質の方が、右側のＳセルの周波数帯域における通信品質よりも優れた状態を表した図である。
【００５７】
図４（ｂ），（ｃ）は、図４（ａ）の状態（つまり、左側のＰセルの周波数帯域における通信品質の方が右側のＳセルの周波数帯域における通信品質よりもよい状態）から、右側のＳセルの周波数帯域における通信品質の方が右側のＰセルの周波数帯域における通信品質よりも優れた状態に遷移した場合を表した図である。
【００５８】
詳しくは、図４（ｂ）は、低速移動時や上りのデータ量が多い場合における状態を表した図である。図４（ｂ）を参照して、低速移動時や上りのデータ量が多い場合には、ハンドオーバが行なわれ、その結果、左側がＳセルとなり、右側がＰセルとなっている。また、図４（ｃ）は、移動局が高速移動しており、かつ上りのデータ量が少ない状態を表した図である。図４（ｃ）を参照して、移動局が高速移動しており、かつ上りのデータ量が少ない場合には、上述したように、ハンドオーバは行なわれない。このため、左側はＰセルのままで、右側はＳセルのままとなっている。
【００５９】
以下では、上記のような処理を行なう基地局１０の具体的な構成と、基地局１０と通信を行なう移動局の具体的な構成とについて説明する。具体的には、Ｓセルのダウンリンクおよびアップリンクがアクティベートであって、Ｓセルの方がＰセルよりも通信品質がよい旨の通知を基地局１０が移動局より受信した場合に、基地局１０でハンドオーバを移動局に実行させるか否かを判定させる構成について説明する。
【００６０】
（Ｂ．ブロック図）
図５は、基地局１０および基地局１０と通信を行なう移動局２０のブロック図である。図５を参照して、基地局１０は、通信処理部１００ａと、送信用アンテナ１０１ａと、受信用アンテナ１０２ａと、通信処理部１００ｂと、送信用アンテナ１０１ｂと、受信用アンテナ１０２ｂとを備える。通信処理部１００ａは、送信部１１１ａと、受信部１１２ａと、制御部１１０ａとを備える。通信処理部１００ｂは、送信部１１１ｂと、受信部１１２ｂと、制御部１１０ｂとを備える。
【００６１】
送信部１１１ａは、送信用アンテナ１０１ａと、制御部１１０ａとに接続される。送信部１１１ａは、制御部１１０ａからの指令に基づいて、送信用アンテナ１０１ａを用いて移動局２０に周波数ｆ１の電波を送信する。一方、送信部１１１ｂは、送信用アンテナ１０１ｂと、制御部１１０ｂとに接続される。送信部１１１ｂは、制御部１１０ｂからの指令に基づいて、送信用アンテナ１０１ｂを用いて、移動局２０に周波数ｆ２電波を送信する。
【００６２】
移動局２０は、制御部２０１と、受信部２０２と、受信部２０３と、送信部２０４と、送信部２０５と、受信用アンテナ２０６と、受信用アンテナ２０７と、送信用アンテナ２０８と、送信用アンテナ２０９とを備える。
【００６３】
受信部２０２は、受信用アンテナ２０６と、制御部２０１とに接続される。受信部２０２は、受信用アンテナ２０６を用いて、基地局１０の通信処理部１００ａから送信された周波数ｆ１の電波を受信する。一方、受信部２０３は、受信用アンテナ２０７と、制御部２０１とに接続される。受信部２０３は、受信用アンテナ２０７を用いて、基地局１０の通信処理部１００ｂにより送信された周波数ｆ２の電波を受信する。
【００６４】
送信部２０４は、送信用アンテナ２０８と、制御部２０１とに接続される。送信部２０４は、制御部２０１からの指令に基づいて、送信用アンテナ２０８を用いて、基地局１０の通信処理部１００ａに周波数ｆ１′の電波を送信する。一方、送信部２０５は、送信用アンテナ２０８と、制御部２０１とに接続される。送信部２０５は、制御部２０１からの指令に基づいて、送信用アンテナ２０９を用いて、基地局１０の通信処理部１００ｂに周波数ｆ２′の電波を送信する。
【００６５】
また、移動局２０は、基地局１０の送信部１１１ａおよび送信部１１１ｂからのリファレンス信号を受信し、受信レベルを測定する。移動局２０は、たとえば送信部１１１ｂからのリファレンス信号のＲＳＲＰ値が、送信部１１１ａからのリファレンス信号のＲＳＲＰ値に対して予め基地局から通知されているオフセット値を加えた値を上回った場合、基地局１０に対して、測定結果メッセージにてその旨（つまり、Ｅｖｅｎｔ  Ａ３）を通知する。
【００６６】
基地局１０の受信部１１２ａは、受信用アンテナ１０２ａと、制御部１１０ａとに接続される。受信部１１２ａは、受信用アンテナ１０２ａを用いて、移動局２０の送信部２０４から送信された周波数ｆ１′の電波を受信する。一方、基地局１０の受信部１１２ｂは、受信用アンテナ１０２ｂと、制御部１１０ｂとに接続される。受信部１１２ｂは、受信用アンテナ１０２ｂを用いて、移動局２０の送信部２０５から送信された周波数ｆ２′の電波を受信する。
【００６７】
また、図５の状態では、キャリアアグリゲーションが行なわれているものとする。さらに、通信処理部１００ａおよび通信処理部１００ｂの何れか一方がＰセルを構成し、他方がＳセルを構成するものとして説明する。特に以下では、説明の便宜上、通信処理部１００ａがＰセルを構成し、通信処理部１００ｂがＳセルを構成する場合を例に挙げて説明する。この場合、図５は、ＰセルおよびＳセルの各々がダウンリンクおよびアップリンクのコンポーネントキャリアを有し、全てのコンポーネントキャリアにおけるダウンリンクおよびアップリンクがアクティベートなコンフィギュア状態である場合を示していることになる。
【００６８】
なお、図５においては、２つの通信処理部１００ａ，１００ｂしか示していないが、通信処理部の数は複数であればよい。また、図５では、説明の便宜上、異なる周波数を用いる場合に、移動局が複数の送信部および受信部と当該送信部および受信部に付随するアンテナを有する構成を示したが、異なる周波数であっても隣り合う連続した周波数帯域であれば、物理的には複数の送信部、受信部、およびアンテナを有していなくてもよい。
【００６９】
図６は、基地局１０の通信処理部１００ａにおける制御部１１０ａの機能ブロック図である。図６を参照して、制御部１１０ａは、通信制御部１００１と、セル構成部１００２と、パターン判定部１００３と、速度判定部１００４と、データ要求判定部１００５とを備える。通信制御部１００１は、キャリアアグリゲーション判定部１０１１を含む。速度判定部１００４は、速度測定部１０４１を含む。
【００７０】
セル構成部１００２は、通信制御部１００１とデータの遣り取りを行なう。セル構成部１００２は、１つのコンポーネントキャリアについて、当該コンポーネントキャリアに予め定められたセル配置パターンで、複数のセルを構成する。なお、通信処理部１００ｂに関しても、通信処理部１００ｂ内のセル構成部が、１つのコンポーネントキャリアについて、当該コンポーネントキャリアに予め定められたセル配置パターンで、複数のセルを構成する。つまり、基地局１０は、複数のコンポーネントキャリアの各々について、当該コンポーネントキャリア毎に予め定められたセル配置パターンで、複数のセルを構成する。
【００７１】
通信制御部１００１は、送信部１１１ａにデータ送信を実行させ、受信部１１２ａにデータ受信を実行させる。通信制御部１００１は、ハンドオーバの処理を行なう。具体的には、通信制御部１００１は、予め定められた条件が成立すると、移動局２０にハンドオーバを要求する信号を送信部１１１ａに送信させる。
【００７２】
また、通信制御部１００１は、受信部１１２ａが、Ｐセルの受信レベルよりもＳセルの受信レベルの方が優れていることを示した信号（つまり、「Ｅｖｅｎｔ Ａ３」）を移動局２０から受信すると、当該信号を受信した旨を、キャリアアグリゲーション判定部１００６に通知する。なお、当該Ｓセルが、ハンドオーバ候補のセルとなる。
【００７３】
キャリアアグリゲーション判定部１０１１は、Ｅｖｅｎｔ Ａ３を受信した旨を受け付けると、ハンドオーバ候補のセル（Ｓセル）のコンポーネントキャリアにおけるアップリンクおよびダウンリンクがアクティベートなコンフィギュア状態（以下、単に、「アクティベートなコンフィギュア状態」とも称する）であるか否かを調査する。ハンドオーバ候補のセルとしては、基地局１０の通信処理部１００ｂにより構成されるＳセル、他の基地局の１つの制御部（図示せず）により構成されるセルが挙げられる。また、キャリアアグリゲーション判定部１０１１は、アクティベートなコンフィギュア状態であると判断すると、当該状態であることをパターン判定部１００３に知らせる。
【００７４】
パターン判定部１００３は、ハンドオーバ先のセルがアクティベートなコンフィギュア状態であることを示す通知をキャリアアグリゲーション判定部１０１１から受け付けると、Ｐセルとハンドオーバ候補のＳセルとが互いに異なるセル配置パターンに属するか否かを判定する。また、パターン判定部１００３は、判定結果を速度判定部１００４に通知する。
【００７５】
より具体的には、基地局１０は、各コンポーネントキャリアのセル配置パターンを示す情報を予め格納している。また、基地局１０は、近隣の基地局に関しても、各コンポーネントキャリアのセル配置パターンを示す情報を予め格納している。パターン判定部１００３は、これらの情報に基づいて、Ｐセルとハンドオーバ候補のＳセルとが互いに異なるセル配置パターンに属するか否かを判断する。セル配置パターンの異同の詳細については、後述する（図１０，１１）。
【００７６】
速度判定部１００４の速度測定部１０４１は、通信制御部１００１からの情報に基づき移動局２０の速度Ｖを測定する。速度判定部１００４は、Ｐセルとハンドオーバ候補のＳセルとが互いに異なるセル配置パターンに属する場合、測定された移動局２０の速度Ｖが予め定められた値（以下、「閾値Ｖｏ」とも称する）以上であるか否かを判定する。速度判定部１００４は、判定結果を通信制御部１００１に通知する。
【００７７】
通信制御部１００１は、移動局２０の速度Ｖが閾値Ｖｏ以上である場合、ハンドオーバを指示する信号を送信部１１１ａに送信させない。一方、通信制御部１００１は、移動局２０の速度Ｖが閾値Ｖｏ未満である場合、ハンドオーバを指示する信号を送信部１１１ａに送信させる。具体的には、通信制御部１００１は、Ｐセルからハンドオーバ候補のＳセルへのハンドオーバを要求する信号を、移動局２０対して送信部１１１ａから送信させる処理を行なう。
【００７８】
以上のように、基地局１０は、Ｅｖｅｎｔ Ａ３を表す測定報告メッセージを移動局２０から受信した場合に、Ｐセルとハンドオーバ先のＳセルとが互いに異なるセル配置パターンであれば、移動局２０の速度Ｖが閾値Ｖｏ未満であることを条件に、ハンドオーバを移動局２０に実施させる。一方、移動局の速度Ｖが閾値Ｖｏ以上であれば、移動局２０にハンドオーバを許可しない。
【００７９】
また、基地局１０は、基地局１０は、Ｅｖｅｎｔ Ａ３を表す測定報告メッセージを移動局２０から受信した場合に、Ｐセルとハンドオーバ先のＳセルとが同じセル配置パターンであれば、移動局２０の速度Ｖにかかわらず、ハンドオーバを移動局２０に実施させる。
【００８０】
なお、ハンドオーバ候補のＳセルに対応するコンポーネントキャリアにおけるダウンリンクおよびアップリンクがアクティベートなコンフィギュア状態であることが、上記のようにハンドオーバを許可しないための条件となる。つまり、基地局１０は、ハンドオーバ候補のＳセルに対応するコンポーネントキャリアにおけるダウンリンクおよびアップリンクがアクティベートなコンフィギュア状態でない場合には、ハンドオーバ処理を行なう。
【００８１】
なお、基地局１０は、移動局２０から周期的に送信するリファレンス信号を用いることによって移動局２０の速度Ｖを測定することができる。しかしながら、基地局１０が移動局２０の速度Ｖを知る方法は、これに限定されるものではない。たとえば、以下のような構成としてもよい。
【００８２】
基地局１０が速度測定部１０４１を有しない場合であっても、移動局２０が速度を測定し、移動局２０が当該測定した速度をたとえば測定報告メッセージに含めて基地局１０に送信すればよい。これにより、基地局１０は、移動局２０の速度Ｖを知ることができる。
【００８３】
また、受信レベルの代わりに受信品質を用いることもできる。この場合、予め基地局１０から移動局２０へ受信品質を用いることを伝えておくことにより実現できる。このように、基地局１０を備える通信システムでは、受信レベル、受信品質のような受信に関する通信品質を表す信号を利用すればよい。
【００８４】
上記においては、データ要求判定部１００５を用いない構成について説明した。データ要求判定部１００５を用いる構成については、後述する。
【００８５】
（Ｃ．制御構造）
図７は、比較例であって、従来の基地局を有する通信システムにおけるハンドオーバの処理流れを説明するための図である。図７を参照して、第１の通信処理部がセルＡを構成し、第２の通信処理部がセルＢを構成する。ハンドオーバ開始前においては、セルＡがＰセルで、セルＢが周辺セルとして機能している。
【００８６】
基地局の第１の通信処理部と第２の通信処理部は、それぞれリファレンス信号Ａとリファレンス信号Ｂを定期的に送信し続けている。ステップＳ９０２において、移動局と基地局の第１の通信処理部は通信を開始する。このときに、基地局はイベントＡ３のトリガとして何を用いるかを通知する。ここでは、ＲＳＲＰ（受信レベル）を用いることとする。ステップＳ９０４において、移動局はリファレンス信号Ａを受信する。ステップＳ９０６において、移動局はリファレンス信号Ｂを受信する。
【００８７】
ステップＳ９０８において、移動局は、リファレンス信号Ｂの受信レベルがリファレンス信号Ａの受信レベルよりも高いか否かを判断する。より正確には、移動局は、リファレンス信号Ｂの受信レベルが、リファレンス信号Ａの受信レベルに対して予め基地局より通知されたオフセット値を加えたることにより得られるレベルよりも高いか否かを判断する。
【００８８】
移動局は、高いと判断した場合（ステップＳ９０８においてＹＥＳ）、ステップＳ９１０において、セルＡ（Ｐセル）の受信レベルよりもセルＢ（周辺セル）の受信レベルの方が優れていることを示した測定報告メッセージ（つまり、Ｅｖｅｎｔ Ａ３）を、第１の通信処理部に通知する。移動局は、高くないと判断した場合（ステップＳ９０８においてＮＯ）、再度、第１の通信処理部および第２の通信処理部からリファレンス信号Ａ，Ｂを受信する。
【００８９】
ステップＳ９１２において、第１の通信処理部は、第２の通信処理部に対して、移動局のハンドオーバを要求する。ステップＳ９１４において、第２の通信処理部は、ハンドオーバの要求に対して、第１の通信処理部に応答信号を送信する。ステップＳ９１６において、第１の通信処理部は、移動局に対して、第２の通信処理部にハンドオーバすることを求める信号を送信する。
【００９０】
ステップＳ９１８において、移動局は、第２の通信処理部に対して、ランダムアクセス要求信号を送信する。ステップＳ９２０において、移動局は、ランダムアクセス要求信号に対する応答信号を受信する。ステップＳ９２２において、セルＢがＰセルとなり、新たに通信を開始する。
【００９１】
図８は、基地局１０を有する通信システムにおけるハンドオーバの処理の流れを説明するための図である。図８を参照して、基地局１０の通信処理部１００ａがセルＡを構成し、基地局１０の通信処理部１００ｂがセルＢを構成する。ハンドオーバ開始前においては、セルＡがＰセルで、セルＢがＳセルとして機能しており、セルＢはアクティベート状態になっている。
【００９２】
基地局１０の通信処理部１００ａと通信処理部１００ｂとは、それぞれリファレンス信号Ａとリファレンス信号Ｂを定期的に送信し続けている。ステップＳ１において、移動局２０と基地局１０の通信処理部１００ａとは通信を開始する。このときに、基地局１０はイベントＡ３のトリガとして何を用いるかを通知する。ここでは、ＲＳＲＰ（受信レベル）を用いることとする。ステップＳ２において、通信処理部１００ａと移動局２０とは、通信処理部１００ｂをコンフィギュア状態としてキャリアアグリゲーションを開始する。ステップＳ３において、通信処理部１００ａと移動局２０とは、通信処理部１００ｂをアクティベート状態として、キャリアアグリゲーションによる複数コンポーネントキャリアを用いた通信を開始する。ステップＳ４において、移動局２０はリファレンス信号Ａを受信する。ステップＳ６において、移動局２０はリファレンス信号Ｂを受信する。
【００９３】
ステップＳ８において、移動局２０は、リファレンス信号Ｂの受信レベルがリファレンス信号Ａの受信レベルよりも高いか否かを判断する。より正確には、移動局２０は、リファレンス信号Ｂの受信レベルが、リファレンス信号Ａの受信レベルに対して予め基地局より通知されたオフセット値を加えたることにより得られるレベルよりも高いか否かを判断する。
【００９４】
移動局２０は、高いと判断した場合（ステップＳ８においてＹＥＳ）、ステップＳ１０において、セルＡ（Ｐセル）の受信レベルよりもセルＢ（Ｓセル）の受信レベルの方が優れていることを示した測定報告メッセージ（つまり、Ｅｖｅｎｔ Ａ３）を、通信処理部１００ａに通知する。移動局２０は、高くないと判断した場合（ステップＳ８においてＮＯ）、再度、通信処理部１００ａおよび通信処理部１００ｂからリファレンス信号Ａ，Ｂを受信する。
【００９５】
ステップＳ２４において、通信処理部１００ａは、ハンドオーバを実行するか否かを判断するための処理Ａを実行する。通信処理部１００ａは、処理Ａの実行の結果、ハンドオーバを行なうと判断した場合、ステップＳ１２に処理を進める。通信処理部１００ａは、処理Ａの実行の結果、ハンドオーバを行なわないと判断した場合、ステップＳ２６において、セルＡをＰセルとして通信を継続する。
【００９６】
ステップＳ１２において、通信処理部１００ａは、通信処理部１００ｂに対して、移動局２０のハンドオーバを要求する。ステップＳ１４において、通信処理部１００ｂは、ハンドオーバの要求に対して、通信処理部１００ａに応答信号を送信する。ステップＳ１６において、通信処理部１００ａは、移動局２０に対して、通信処理部１００ｂにハンドオーバすることを求める信号を送信する。
【００９７】
ステップＳ１８において、移動局２０は、通信処理部１００ｂに対して、ランダムアクセス要求信号を送信する。ステップＳ２０において、移動局２０は、ランダムアクセス要求信号に対する応答信号を受信する。ステップＳ２２において、セルＢがＰセルとなり、新たに通信を開始する。
【００９８】
図９は、図８のステップＳ２４に示した処理Ａの詳細を示したフローチャートである。図９を参照して、ステップＳ２４０２において、通信処理部１００ａは、キャリアアグリゲーション中であるか否かを判断する。通信処理部１００ａは、キャリアアグリゲーション中であると判断した場合（ステップＳ２４０２においてＹＥＳ）、ステップＳ２４０４において、セルＡと、通知されたセル（つまり、ハンドオーバ候補のセル）とが互いに異なるセル配置パターンに属するか否かを判断する。図８の場合においては、通信処理部１００ａは、セルＡとセルＢとが異なるセル配置パターンに属するか否かを判断する。
【００９９】
通信処理部１００ａは、キャリアアグリゲーション中でないと判断した場合（ステップＳ２４０２においてＮＯ）、ステップＳ２４１０において、通知されたセルへのハンドオーバ処理を行なうとの判断を行なう。つまり、通信処理部１００ａは、ステップＳ１２（図８参照）に処理を進める。
【０１００】
通信処理部１００ａは、セルＡとセルＢとが異なるセル配置パターンに属すると判断した場合（ステップＳ２４０４においてＹＥＳ）、ステップＳ２４０６において、移動局２０の速度Ｖが閾値Ｖｏ以上であるか否かを判断する。通信処理部１００ａは、セルＡとセルＢとが同じセル配置パターンに属すると判断した場合（ステップＳ２４０４においてＮＯ）、処理をステップＳ２４１０に進める。
【０１０１】
通信処理部１００ａは、移動局２０の速度Ｖが閾値Ｖｏ以上であると判断した場合（ステップＳ２４０６においてＹＥＳ）、ステップＳ２４０８において、通知されたセルへのハンドオーバ処理を行なわないとの判断を行なう。つまり、通信処理部１００ａは、ステップＳ２６（図８参照）に処理を進める。
【０１０２】
（Ｄ．セル配置パターン）
図１０は、セル配置パターンを説明するための図である。また、図１０は、基地局１０と同じ構成を有する複数の基地局１１〜１５が配備されたエリアを示した図でもある。
【０１０３】
図１０（ａ）は、周波数ｆ１の電波により構成されるセルの配置パターンを表した図である。図１０（ｂ）は、周波数ｆ２の電波により構成されるセルの配置パターンを表した図である。図１０（ｃ）は、周波数ｆ３の電波により構成されるセルの配置パターンを表した図である。
【０１０４】
図１０（ａ）を参照して、基地局１１は、周波数ｆ１の電波にて、セル１１ａ，１１ｂ，１１ｃを構成する。基地局１２は、周波数ｆ１の電波にて、セル１２ａ，１２ｂ，１２ｃを構成する。基地局１３は、周波数ｆ１の電波にて、セル１３ａ，１３ｂ，１３ｃを構成する。基地局１４は、周波数ｆ１の電波にて、セル１４ａ，１４ｂ，１４ｃを構成する。基地局１５は、周波数ｆ１の電波にて、セル１５ａ，１５ｂ，１５ｃを構成する。なお、各基地局１１〜１５は、１２０°の指向性のあるアンテナを用いて、それぞれ３つのセルを構成する。
【０１０５】
以下では、各基地局に関し、図１０（ａ）に示すような３つのセルの配置パターンを、「第１のセル配置パターン」と称する。つまり、図１０（ａ）では、基地局１１〜１５の各々が、周波数ｆ１の電波を用いて、第１のセル配置パターンで３つのセルを構成する。
【０１０６】
図１０（ｂ）を参照して、基地局１１は、周波数ｆ２の電波にて、セル１１ｅ，１１ｆ，１１ｇを構成する。基地局１２は、周波数ｆ２の電波にて、セル１２ｅ，１２ｆ，１２ｇを構成する。基地局１３は、周波数ｆ２の電波にて、セル１３ｅ，１３ｆ，１３ｇを構成する。基地局１４は、周波数ｆ２の電波にて、セル１４ｅ，１４ｆ，１４ｇを構成する。基地局１５は、周波数ｆ２の電波にて、セル１５ｅ，１５ｆ，１５ｇを構成する。なお、各基地局１１〜１５は、１２０°の指向性のあるアンテナを用いて、それぞれ３つのセルを構成する。
【０１０７】
以下では、各基地局に関し、図１０（ｂ）に示すような３つのセルの配置パターンを、「第２のセル配置パターン」と称する。つまり、図１０（ｂ）では、基地局１１〜１５の各々が、周波数ｆ２の電波を用いて、第２のセル配置パターンで３つのセルを構成する。
【０１０８】
図１０（ｃ）を参照して、基地局１１は、周波数ｆ３の電波にて、セル１１ｈ，１１ｉ，１１ｊを構成する。基地局１２は、周波数ｆ３の電波にて、セル１２ｈ，１２ｉ，１２ｊを構成する。基地局１３は、周波数ｆ３の電波にて、セル１３ｈ，１３ｉ，１３ｊを構成する。基地局１４は、周波数ｆ３の電波にて、セル１４ｈ，１４ｉ，１４ｊを構成する。基地局１５は、周波数ｆ３の電波にて、セル１５ｈ，１５ｉ，１５ｊを構成する。なお、各基地局１１〜１５は、１２０°の指向性のあるアンテナを用いて、それぞれ３つのセルを構成する。
【０１０９】
図１１は、セル配置パターンの異同を説明するための図である。図１１（ａ）は、周波数ｆ１の電波で構成される複数のセルに、周波数ｆ３の電波で構成される１つのセル１４ｉを重ね合わせた図である。図１１（ｂ）は、周波数ｆ２の電波で構成される複数のセルに、周波数ｆ１の電波で構成される１つのセル１４ａを重ね合わせた図である。
【０１１０】
図１１（ａ）を参照して、周波数ｆ１の電波により構成されるセル１４ｂと、周波数ｆ３により構成されるセル１４ｉとは、同じ場所に構成される。また、図示していないが、周波数ｆ１の電波により構成されるセルＫａ（Ｋは１１以上１５以下の自然数）と、周波数ｆ３の電波により構成されるセルＫｈとは、同じ場所に構成される。周波数ｆ１の電波により構成されるセルＫｂと、周波数ｆ３の電波により構成されるセルＫｉとは、同じ場所に構成される。周波数ｆ１の電波により構成されるセルＫｃと、周波数ｆ３の電波により構成されるセルＫｊとは、同じ場所に構成される。つまり、各基地局は、周波数ｆ３に関し、図１０（ａ）と同様に、第１のセル配置パターンで３つのセルを構成する。
【０１１１】
このように、周波数ｆ１の電波により構成されるセルは、周波数ｆ１の電波により構成される他のセル、および周波数ｆ３の電波により構成されるセルと同じ配置パターンに属するセルとなる。たとえば、セル１４ｂがＰセルである場合、周波数ｆ１の電波で構成されるセル１４ｃ，１１ａ，１２ｃ，１２ａ，１５ｃ、および周波数ｆ３の電波で構成されるセル１４ｉ，１４ｊ，１１ｈ，１２ｊ，１２ｈ，１５ｊは、セル１４ｂと同じセル配置パターン（第１のセル配置パターン）に属する。
【０１１２】
図１１（ｂ）を参照して、周波数ｆ１，ｆ３の電波により構成されるセル１４ａ，１４ｈと、周波数ｆ２により構成される各セルとは、同じ場所に構成されない。また、図示していないが、周波数ｆ１，ｆ３の電波により構成されるセルＫａ，Ｋｈと、周波数ｆ２の電波により構成されるセルＫｄとは、同じ場所に構成されない。周波数ｆ１，ｆ３の電波により構成されるセルＫｂ，Ｋｉと、周波数ｆ２の電波により構成されるセルＫｅとは、同じ場所に構成されない。周波数ｆ１，ｆ３の電波により構成されるセルＫｃ，Ｋｊと、周波数ｆ２の電波により構成されるセルＫｇとは、同じ場所に構成されない。
【０１１３】
このように、周波数ｆ１の電波により構成されるセルは、周波数ｆ２の電波により構成されるセルと同じ配置パターンに属するセルとならない。たとえば、セル１４ｂがＰセルである場合、周波数ｆ２の電波により構成される、セル１４ｂの近隣のセル１４ｄ，１４ｆ，１４ｅ，１１ｄ，１２ｆ，１５ｅは、セル１４ｂは、セル１４ｂとは異なるセル配置パターン（第２のセル配置パターン）に属する。
【０１１４】
さらに、補足的に説明すると、たとえば或るセル（以下、「セルＺ」と称する）に着目した場合、セルＺと同じ配置パターンに属するセルとは、セルＺを構成する指向性アンテナと同じ方向を向いている指向性アンテナにより構成されるセルと同じ周波数の電波により構成されるセルをいう。また、セルＺと異なる配置パターンに属するセルとは、セルＺを構成する指向性アンテナと違う方向を向いている指向性アンテナにより構成されるセルと同じ周波数の電波により構成されるセルをいう。
【０１１５】
なお、基地局１０は、上述したように、セル毎に定義されている。基地局１０は、上述したように、セル毎に隣接セルが同じセル配置パターンに属するか、異なるセル配置パターンに属するか把握している。本実施の形態においては、各周波数帯がエリアを網羅できている場合にのみ有効であるため、エリアを網羅できないような境界のセルでは適応をしない。
【０１１６】
（Ｅ．ハードウェア構成）
図１２は、基地局１０の典型的なハードウェア構成を示した図である。図１２を参照して、基地局１０は、複数のアンテナ１０１ａ，１０１ｂ，１０１ｃ，１０２ａ，１０２ｂ，１０２ｃと、複数の無線処理部１５０ａ，１５０ｂ，１５０ｃと、制御・ベースバンド部１８０とを備える。
【０１１７】
各無線処理部１５０ａ，１５０ｂ，１５０ｃは、デュプレクサ１５０１，１５０２と、パワーアンプ１５０３，１５０４と、ローノイズアンプ１５０５，１５０６と、送信回路１５０７，１５０８と、受信回路１５０９，１５１０と、直交変復調部１５１０とを備える。制御・ベースバンド部１８０は、ベースバンド回路１８１と、制御装置１８２と、電源部１８５と、タイミング制御部１８３と、通信インターフェイス１８４とを備える。制御装置１８２は、ＣＰＵ１８２１と、ＲＯＭ１８２２と、ＲＡＭ１８２３と、不揮発性メモリ１８２４と、ＨＤＤ（Hard Disk Drive）１８２５とを備える。
【０１１８】
直交変復調部１５１１は、ベースバンド回路１８１で処理されるＯＦＤＭ（Orthogonal Frequency Division Multiplexing）信号を直交変復調し、アナログ信号（ＲＦ（Radio Frequency）信号）と変換する。送信回路１５０７，１５０８は、直交変復調部１５１１で生成されたＲＦ信号を、電波として送出する周波数に変換する。受信回路１５０９，１５１０は、受信した電波を直交変復調部１５１１で処理する周波数に変換する。
【０１１９】
パワーアンプ１５０３，１５０４は、送信回路１５０７，１５０８で生成したＲＦ信号を、アンテナ１０１ａ〜１０１ｃ，１０２ａ〜１０２ｃから送信するために電力増幅する。ローノイズアンプは、アンテナで受信した微弱電波を増幅し、受信回路１５０９，１５１０に渡す。
【０１２０】
制御装置１８２は、基地局１０全体の制御、および呼制御のプロトコルや制御監視を行なう。タイミング制御部１８３は、伝送路またはＧＰＳ（Global Positioning System）から抽出した基準クロックを基に、基地局１０内部で使用する各種クロックを生成する。
【０１２１】
通信インターフェイス１８４は、イーサネット（登録商標）などの伝送路を接続し、ＩＰｓｅｃ（Security Architecture for Internet Protocol）、ＩＰｖ６（Internet Protocol Version 6）等のプロトコルを処理してＩＰパケットの授受を行なう。
【０１２２】
ベースバンド回路１８１は、通信インターフェイス１８４を用いて授受するＩＰパケットと、無線上に乗せるＯＦＤＭ信号（ベースバンド信号）の変換（変復調）を行なう。また、ベースバンド信号は無線処理部１５０ａ，１５０ｂ，１５０ｃとの間で授受される。電源部１８５は、基地局１０に供給される電圧を、基地局１０内部で使用する電圧に変換する。
【０１２３】
基地局１０における処理は、各ハードウェアおよびＣＰＵ１８２１により実行されるソフトウェアによって実現される。このようなソフトウェアは、ＨＤＤ１８２５等に予め記憶されている場合がある。また、ソフトウェアは、メモリカード（図示せず）その他の記憶媒体に格納されて、プログラムプロダクトとして流通している場合もある。あるいは、ソフトウェアは、いわゆるインターネットに接続されている情報提供事業者によってダウンロード可能なプログラムプロダクトとして提供される場合もある。このようなソフトウェアは、ＩＣカードリーダライタその他の読取装置によりその記憶媒体から読み取られて、あるいは、通信インターフェイス１８４を介してダウンロードされた後、ＨＤＤ１８２５に一旦格納される。そのソフトウェアは、ＣＰＵ１８２１によってＨＤＤ１８２５から読み出され、さらに不揮発性メモリ１８２４に実行可能なプログラムの形式で格納される。ＣＰＵ１８２１は、そのプログラムを実行する。
【０１２４】
同図に示される基地局１０を構成する各構成要素は、一般的なものである。したがって、本発明の本質的な部分は、ＨＤＤ１８２５、不揮発性メモリ１８２４、メモリカードその他の記憶媒体に格納されたソフトウェア、あるいはネットワークを介してダウンロード可能なソフトウェアであるともいえる。なお、基地局１０の各ハードウェアの動作は周知であるので、詳細な説明は繰り返さない。
【０１２５】
なお、記録媒体としては、ＤＶＤ-ＲＯＭ、ＣＤ−ＲＯＭ、ＦＤ（Flexible Disk）、ハードディスクに限られず、磁気テープ、カセットテープ、光ディスク（ＭＯ（Magnetic Optical Disc）／ＭＤ（Mini Disc）／ＤＶＤ（Digital Versatile Disc））、光カード、マスクＲＯＭ、ＥＰＲＯＭ（Electronically Programmable Read-Only Memory）、ＥＥＰＲＯＭ（Electronically Erasable Programmable Read-Only Memory）、フラッシュＲＯＭなどの半導体メモリ等の固定的にプログラムを担持する媒体でもよい。また、記録媒体は、コンピュータが読取可能な一時的でない媒体である。
【０１２６】
ここでいうプログラムとは、ＣＰＵにより直接実行可能なプログラムだけでなく、ソースプログラム形式のプログラム、圧縮処理されたプログラム、暗号化されたプログラム等を含む。
【０１２７】
上述したように、基地局１０を用いることにより、異なる帯域の周波数でセルの配置パターンが異なる場合において、同じような大きさのセル間の移動においてハンドオーバの回数を減らすことが可能となる。
【０１２８】
より詳しくは、移動局２０が基地局１０にＳセルのほうが通信品質が優れていることを通知した場合に、移動局２０の速度Ｖが高速、Ｓセルがダウンリンクとアップリンクとがともにアクティベート、かつＳセルがＰセルとは異なる配置グループであるときには、Ｓセルへハンドオーバを行なわなくてもＳセルで通信を継続することにより、データ通信速度を維持しつつ、ハンドオーバ回数の減少を実現できる。
【０１２９】
また、ハンドオーバの回数を減らせるため、スループットの低下と無線リソースの負荷とを低減することが可能となる。また、移動局２０側において特別な処理を必要とせず、基地局１０側における処理で対応できる。
【０１３０】
（Ｆ．変形例）
ところで、Ｓセルは常にダウンリンクとアップリンクとが共にアクティブなコンフィギュア状態になるとは限らず、ダウンリンクだけアクティブなコンフィギュア状態となる場合も考えられる。
【０１３１】
たとえば、移動局の上りデータが少ない時や、キャリアアグリゲーションを行なう周波数の関係上、Ｓセルがダウンリンクのみコンフィギュアされ、アクティベート状態になることがある。この際にＳセルの通信品質がＰセルの通信品位質を上回って、その結果移動局から測定報告（Ｅｖｅｎｔ Ａ３）が通知された場合、一般的には上りデータ通信速度の減少が発生してしまう。このため、このような場合には、ハンドオーバを行ったほうが良いと考えられる。しかしながら、上りデータ量がない場合であれば、ハンドオーバを行なわないほうがよいと考えられる。
【０１３２】
以下に、Ｓセルのダウンリンクのみがアクティブなコンフィギュア状態である場合の処理について説明する。具体的には、基地局１０が、データ要求判定部１００５（図６参照）を用いた処理を行なう場合について説明する。
【０１３３】
データ要求判定部１００５は、Ｓセルに対応するコンポーネントキャリアにおけるダウンリンクおよびアップリンクのうちダウンリンクのみがアクティベートなコンフィギュア状態である場合に、移動局２０からアップリンクのデータ要求がないかを判定する。
【０１３４】
図１３は、データ要求判定部１００５を用いる場合における、図８のステップＳ２４に示した処理Ａの詳細を示したフローチャートである。図１３を参照して、ステップＳ２４５２において、通信処理部１００ａは、キャリアアグリゲーション中であるか否かを判定する。通信処理部１００ａは、キャリアアグリゲーション中であると判定した場合（ステップＳ２４５２においてＹＥＳ）、ステップＳ２４５４において、コンポーネントキャリアにおけるダウンリンクがアクティベートなコンフィギュア状態であるか否かを判定する。通信処理部１００ａは、キャリアアグリゲーション中でないと判定した場合（ステップＳ２４５２においてＮＯ）、ステップＳ２４６６において、通知されたセル（つまり、ハンドオーバ候補のセル）へのハンドオーバ処理を行なうとの判定を行なう。つまり、通信処理部１００ａは、ステップＳ１２（図８参照）に処理を進める。
【０１３５】
通信処理部１００ａは、コンポーネントキャリアにおけるダウンリンクがアクティベートなコンフィギュア状態であると判定した場合（ステップＳ２４５４においてＹＥＳ）、ステップＳ２４５６において、当該コンポーネントキャリアにおけるアップリンクがアクティベートな状態であるか否かを判定する。通信処理部１００ａは、コンポーネントキャリアにおけるダウンリンクがアクティベートなコンフィギュア状態でないと判定した場合（ステップＳ２４５４においてＮＯ）、処理をステップＳ２４６６に進める。
【０１３６】
通信処理部１００ａは、コンポーネントキャリアにおけるアップリンクがアクティベートな状態であると判定した場合（ステップＳ２４５６においてＹＥＳ）、処理をステップＳ２４６０に進める。通信処理部１００ａは、コンポーネントキャリアにおけるアップリンクがアクティベートな状態でないと判定した場合、ステップＳ２４５８において、移動局２０からアップリンク（上り）のデータ要求があるか否かを判定する。当該判定は、データ要求判定部１００５により実行される。
【０１３７】
通信処理部１００ａは、アップリンクのデータ要求があると判定した場合（ステップＳ２４５８においてＹＥＳ）、処理をステップＳ２４６６に進める。通信処理部１００ａは、アップリンクのデータ要求がないと判定した場合（ステップＳ２４５８においてＮＯ）、ステップＳ２４６０において、セルＡと、通知されたセル（つまり、ハンドオーバ候補のセル）とが互いに異なるセル配置パターンに属するか否かを判定する。図８の場合においては、通信処理部１００ａは、セルＡとセルＢとが異なるセル配置パターンに属するか否かを判定する。
【０１３８】
通信処理部１００ａは、セルＡとセルＢとが異なるセル配置パターンに属すると判定した場合（ステップＳ２４６０においてＹＥＳ）、ステップＳ２４６２において、移動局２０の速度Ｖが閾値Ｖｏ以上であるか否かを判定する。通信処理部１００ａは、セルＡとセルＢとが同じセル配置パターンに属すると判定した場合（ステップＳ２４６０においてＮＯ）、処理をステップＳ２４６６に進める。
【０１３９】
通信処理部１００ａは、移動局２０の速度Ｖが閾値Ｖｏ以上であると判定した場合（ステップＳ２４６２においてＹＥＳ）、ステップＳ２４６４において、通知されたセルへのハンドオーバ処理を行なわないとの判断を行なう。つまり、通信処理部１００ａは、ステップＳ２６（図８参照）に処理を進める。
【０１４０】
以上のように、基地局１０は、Ｓセルに対応するコンポーネントキャリアにおけるアップリンクがアクティベート状態でない場合には、上りデータ要求があるかどうかを調査し、上りデータ要求がない場合にはハンドオーバは行なわない。なお、完全にデータ要求がない場合ではなく、過去一定時間のデータ要求回数が閾値未満であればというように、多少の上りデータが発生することは許容できる。一方、基地局１０は、移動局２０とハンドオーバせずに通信を継続していたとしても、上りデータ要求量が一定以上になった場合はハンドオーバする。
【０１４１】
［実施の形態２］
実施の形態１においては、移動局２０からＰセルの受信レベルよりもＳセルの受信レベルの方が優れていることを示したメッセージ（Ｅｖｅｎｔ Ａ３）を基地局１０が受信しても、移動局２０の速度Ｖが閾値Ｖｏ以上等の予め定められた条件を具備した場合には、基地局１０が移動局２０に対してハンドオーバの要求を行なわない構成を説明した。つまり、基地局１０におけるデータ処理が特徴点の１つであった。
【０１４２】
実施の形態２では、移動局において、Ｐセルの受信レベルよりもＳセルの受信レベルの方が優れていることを示したメッセージを通知しにくくする。これにより、実施の形態１と同様にハンドオーバの回数を減らす。
【０１４３】
詳しくは、移動局は、速度Ｖが閾値Ｖｏ以上であること等の予め定められた条件を満たした場合、Ｓセルの受信レベルがＰセルの受信レベルを上回ったときのオフセット値を変更する。これより、移動局の速度Ｖが速い場合は、異なるセル配置パターンへのハンドオーバが発生しにくくなる。基地局は、移動局に対して、周波数毎、もしくはセル毎に同じセル配置グループか異なる配置グループかを通知する。
【０１４４】
なお、実施の形態１と同様、受信レベル（ＲＳＲＰ）の代わりに受信品質（ＲＳＲＱ）を測定するように、移動局を構成してもよい。以下、さらに詳しく説明する。
【０１４５】
（Ｇ．ブロック図）
図１４は、基地局１０Ａおよび基地局１０Ａと通信を行なう移動局２０Ａのブロック図である。図１４を参照して、基地局１０Ａは、通信処理部１９０ａと、送信用アンテナ１０１ａと、受信用アンテナ１０２ａと、通信処理部１９０ｂと、送信用アンテナ１０１ｂと、受信用アンテナ１０２ｂとを備える。通信処理部１９０ａは、送信部１１１ａと、受信部１１２ａと、制御部１９１ａとを備える。通信処理部１９０ｂは、送信部１１１ｂと、受信部１１２ｂと、制御部１９１ｂとを備える。
【０１４６】
移動局２０Ａは、制御部２０１Ａと、受信部２０２と、受信部２０３と、送信部２０４と、送信部２０５と、受信用アンテナ２０６と、受信用アンテナ２０７と、送信用アンテナ２０８と、送信用アンテナ２０９とを備える。
【０１４７】
基地局１０Ａの制御部１９１ａ、１９１ｂは、通信制御部１００１と、セル構成部１００２とを備える。このように、基地局１０Ａは、実施の形態１の基地局１０とは異なり、キャリアアグリゲーションの判定、パターンの判定、および速度の判定を行なわない。
【０１４８】
基地局１０Ａは、キャリアアグリゲーションを開始よりも前に、オフセット値ＳＬ（第１のオフセット値）を移動局２０Ａに送信する。また、基地局１０Ａは、キャリアアグリゲーションを開始時に、移動局２０Ａに対して、上述した閾値Ｖｏと、オフセット値ＳＬよりも大きなオフセット値ＳＨ（第２のオフセット値）とを、移動局２０Ａに送信する。なお、基地局１０Ａは、閾値Ｖｏとオフセット値ＳＬとオフセット値ＳＨとを通信開始時に移動局２０Ａに通知してもよい。
【０１４９】
図１５は、移動局２０Ａの制御部２０１Ａの機能ブロック図である。図１５を参照して、制御部２０１Ａは、通信制御部２００１と、通信品質測定部２００２と、速度判定部２００３と、パターン判定部２００４と、通信品質判定部２００５と、キャリアアグリゲーション判定部２００６とを備える。通信制御部２００１は、データ量判定部２０１１を備える。速度判定部２００３は、速度測定部２０３１を備える。
【０１５０】
通信制御部２００１は、送信部２０４，２０５にデータ送信を実行させ、受信部２０２，２０３にデータ受信を実行させる。通信制御部２００１は、たとえば、受信部２０２，２０３を介して、基地局からハンドオーバを要求する信号を取得する。また、通信制御部２００１は、受信部２０２，２０３を介して、基地局１０Ａから、上述した閾値Ｖｏと、オフセット値ＳＬ（第１のオフセット値）と、オフセット値ＳＬよりも大きなオフセット値ＳＨ（第２のオフセット値）とを取得する。
【０１５１】
通信制御部２００１は、閾値Ｖｏを速度判定部２００３に通知し、オフセット値ＳＬ，ＳＨを通信品質判定部２００５に通知する。さらに、通信制御部２００１は、送信部２０４，２０５を介して、Ｐセルの受信レベルよりもＳセルの受信レベルの方が優れていることを示した信号（つまり、「Ｅｖｅｎｔ Ａ３」）を基地局１０Ａに送信する。
【０１５２】
キャリアアグリゲーション判定部２００６は、ハンドオーバ候補のセル（Ｓセル）のコンポーネントキャリアにおけるアップリンクおよびダウンリンクがアクティベートなコンフィギュア状態であるか否かを調査する。
【０１５３】
通信品質測定部２００２は、Ｐセルの受信レベルと、周辺セルの受信レベルとを測定する。通信品質測定部２００２は、測定結果を、通信品質判定部２００５に通知する。
【０１５４】
速度判定部２００３の速度測定部２０３１は、通信制御部２００１からの情報に基づき移動局２０の速度Ｖを測定する。速度判定部２００３は、測定された移動局２０の速度Ｖが閾値Ｖｏ以上であるか否かを判定する。速度判定部２０００３は、判定結果をパターン判定部２００４に通知する。
【０１５５】
パターン判定部２００４は、測定された移動局２０の速度Ｖが閾値Ｖｏ以上である場合、Ｐセルに隣接する各Ｓセルに関し、ＰセルとＳセルとが互いに異なるセル配置パターンに属するか否かを判定する。パターン判定部２００４は、判定結果を通信品質判定部２００５に通知する。
【０１５６】
通信品質判定部２００５は、ＰセルとＳセルとが互いに異なるセル配置パターンに属すると判定された場合、Ｐセルの受信レベルＬＰ（第１の品質値）にオフセット値ＳＨを加えることにより得られた加算値ＡＨ（第１の加算値）よりも、Ｓセルの受信レベルＬＳが大きいか否かを判定する。より詳しくは、ＰセルとＳセルとが互いに異なるセル配置パターンに属すると判定され、かつ当該Ｓセルに対応するコンポーネントキャリアにおけるダウンリンクおよびアップリンクがアクティベートなコンフィギュア状態である場合に、加算値ＡＨよりも受信レベルＬＳが大きいか否かを判定する。
【０１５７】
一方で、通信品質判定部２００５は、ＰセルとＳセルとが同じセル配置パターンに属すると判定された場合には、受信レベルＬＰにオフセット値ＳＬを加えることにより得られた加算値ＡＬ（第２の加算値）よりも、Ｓセルの受信レベルＬＳ（第２の品質値）が大きいか否かを判定する。また、通信品質判定部２００５は、ＰセルとＳセルとが異なるセル配置パターンに属すると判定された場合であっても、Ｓセルに対応するコンポーネントキャリアにおけるダウンリンクおよびアップリンクの少なくとも一方が非アクティベートなコンフィギュア状態であるときには、加算値ＡＬよりも受信レベルＬＳが大きいか否かを判定する。
【０１５８】
通信制御部２００１は、受信レベルＬＳが加算値ＡＨよりも大きいと判定された場合には、Ｐセルの受信レベルよりもＳセルの受信レベルの方が優れていることを示した信号（つまり、Ｅｖｅｎｔ Ａ３）を一方の送信部に送信させ、受信レベルＬＳが加算値ＡＨよりも大きくないと判定された場合には、当該信号を送信部に送信させない。また、通信制御部２００１は、受信レベルＬＳが加算値ＡＬよりも大きいと判定された場合には、Ｐセルの受信レベルよりもＳセルの受信レベルの方が優れていることを示した信号を一方の送信部に送信させ、受信レベルＬＳが加算値ＡＬよりも大きくないと判定された場合には、当該信号を送信部に送信させない。
【０１５９】
つまり、通信制御部２００１は、Ｐセルに隣接する１つ以上のＳセルのうち１つのＳセルについて、受信レベルＬＳが加算値ＡＨよりも大きいと判定された場合、または受信レベルＬＳが加算値ＡＬよりも大きいと判定された場合には、Ｐセルの受信レベルよりもＳセルの受信レベルの方が優れていることを示した信号を送信部に送信させる。
【０１６０】
以上のように、移動局２０Ａは、ＰセルとＳセルとが互いに異なるセル配置パターンに属し、かつ当該Ｓセルに対応するコンポーネントキャリアにおけるダウンリンクおよびアップリンクがアクティベートなコンフィギュア状態である場合において、通常用いるオフセット値ＳＬよりも大きなオフセット値ＳＨを用いる。これにより、移動局２０Ａは、ＰセルとＳセルとが互いに異なるセル配置パターンに属し、かつ当該Ｓセルに対応するコンポーネントキャリアにおけるダウンリンクおよびアップリンクがアクティベートなコンフィギュア状態である場合には、Ｐセルの受信レベルよりもＳセルの受信レベルの方が優れていることを示したメッセージ（Ｅｖｅｎｔ Ａ３）を通知しにくくする。
【０１６１】
上記においては、データ量判定部２０１１を用いない構成について説明した。データ量判定部２０１１を用いる構成については、後述する。
【０１６２】
図１６は、基地局１０Ａおよび移動局２０Ａを有する通信システムにおけるハンドオーバの処理の流れを説明するための図である。図１６を参照して、基地局１０Ａの通信処理部１９０ａがセルＡを構成し、基地局１０Ａの通信処理部１９０ｂがセルＢを構成する。通信開始前においては、セルＡがＰセルで、セルＢが周辺セルとして機能している。通信処理部１９０ａと通信処理部１９０ｂは、それぞれリファレンス信号Ａとリファレンス信号Ｂを定期的に送信し続けている。ステップＳ３０１において基地局１０Ａと移動局２０Ａとで通信が開始される。
【０１６３】
ステップＳ３０２において、基地局１０Ａと移動局２０Ａとでキャリアアグリゲーションの開始手順を行なう。開始手順のなかで、基地局１０Ａの通信処理部１９０ａは、キャリアアグリゲーション開始の指示を移動局２０Ａに送信する。その際、基地局１０Ａは、上述したように、閾値Ｖｏとオフセット値ＳＨとを移動局２０Ａ送信する。なお、オフセット値ＳＬは、既に移動局２０Ａに通知されている。詳しくは、ステップＳ３０２において、通信処理部１９０ａと移動局２０Ａとは、通信処理部１９０ｂをコンフィギュア状態としてキャリアアグリゲーションを開始する。ステップＳ３０３において、通信処理部１９０ａと移動局２０Ａとは、通信処理部１９０ｂをアクティベート状態として、キャリアアグリゲーションによる複数コンポーネントキャリアを用いた通信を開始する。キャリアアグリゲーションが開始されると、ステップＳ３０４において、移動局２０Ａは、リファレンス信号Ａを受信する。ステップＳ３０６において、移動局２０Ａは、リファレンス信号Ｂを受信する。
【０１６４】
ステップＳ３０８において、移動局２０Ａは、測定報告を通知する否かを判定する。より詳しくは、移動局２０Ａは、Ｅｖｅｎｔ Ａ３を通知するか否かを判定する。ステップＳ３０８の処理の詳細については、後述する（図１７）。
【０１６５】
移動局は、通知すると判定した場合（ステップＳ３０８においてＹＥＳ）、ステップＳ３１０において、セルＡ（Ｐセル）の受信レベルよりもセルＢ（Ｓセル）の受信レベルの方が優れていることを示した測定報告メッセージ（Ｅｖｅｎｔ Ａ３）を、通信処理部１９０ａに通知する。移動局２０Ａは、通知ないと判定した場合（ステップＳ３０８においてＮＯ）、再度、通信処理部１９０ａおよび通信処理部１９０ｂからリファレンス信号Ａ，Ｂを受信する。
【０１６６】
ステップＳ３１２において、通信処理部１９０ａは、通信処理部１９０ｂに対して、移動局のハンドオーバを要求する。ステップＳ３１４において、通信処理部１９０ｂは、ハンドオーバの要求に対して、通信処理部１９０ａに応答信号を送信する。ステップＳ３１６において、通信処理部１９０ａは、移動局２０Ａに対して、通信処理部１９０ｂにハンドオーバすることを求める信号を送信する。
【０１６７】
ステップＳ３１８において、移動局２０Ａは、通信処理部１９０ｂに対して、ランダムアクセス要求信号を送信する。ステップＳ３２０において、移動局２０Ａは、ランダムアクセス要求信号に対する応答信号を受信する。ステップＳ３２２において、セルＢがＰセルとなり、新たに通信を開始する。
【０１６８】
図１７は、図１６におけるステップＳ３０８の処理の詳細を示したフローチャートである。図１７を参照して、ステップＳ２０２において、移動局２０Ａは、受信レベルを測定する。なお、以下では、移動局２０Ａは、複数のＳセルの受信レベルを測定するものとして説明する。また、当該複数のＳセルにおけるアクティベートなコンフィギュア状態であるＳセルの１つの品質値を“ＱＳ１”とし、複数のＳセルにおける非アクティベートなコンフィギュア状態であるＳセルの１つの品質値を“ＱＳ２”とする。
【０１６９】
ステップＳ２０４において、移動局２０Ａは、オフセット値を示す変数を初期化する。具体的には、移動局２０Ａは、オフセット値を示す変数offsetにオフセット値ＳＬを代入する。ステップＳ２０６において、移動局２０Ａは、速度Ｖが閾値Ｖｏ以上であるか否かを判定する。移動局２０Ａは、閾値Ｖｏ以上であると判定した場合（ステップＳ２０６においてＹＥＳ）、ステップＳ２０８において、Ｐセルとはセル配置パターンが異なり、かつアクティベートなコンフィギュア状態であるＳセルについては、変数offsetの値をオフセット値ＳＬからオフセット値ＳＨに変更する。移動局２０Ａは、閾値Ｖｏ未満であると判定した場合（ステップＳ２０６においてＮＯ）、処理をステップＳ２１０に進める。
【０１７０】
ステップＳ２１０において、移動局２０Ａは、各Ｓセルについて、「ＱＳｎ＞Ｑｐ＋offset」が成立するか否かを判定する。たとえば、移動局２０Ａの速度Ｖが閾値Ｖｏ以上である場合、アクティベートなコンフィギュア状態であるＳセルについては、移動局２０Ａは、「ＱＳ１＞Ｑｐ＋オフセット値ＳＨ」が成立するか否かを判定する。また、非アクティベートなコンフィギュア状態であるＳセルについては、移動局２０Ａは、「ＱＳ１＞Ｑｐ＋オフセット値ＳＬ」が成立するか否かを判定する。
【０１７１】
移動局２０Ａは、ステップＳ２１０において少なくとも１つのＳセルについて上記の条件式が成立すれば、処理をステップＳ２１２に進める。移動局２０Ａは、ステップＳ２１０において全てのＳセルについて、上記の条件式が成立しなければ、処理をステップＳ２０２に進める。
【０１７２】
ステップＳ２１０において、移動局２０Ａは、測定報告（Ｅｖｅｎｔ Ａ３）を送信する。より詳しくは、移動局２０Ａは、ステップＳ２１０の条件を満たしたＳセルの識別情報を含めて測定報告メッセージを送信する。
【０１７３】
（Ｈ．ハードウェア構成）
図１８は、移動局２０Ａのハードウェア構成を表した図である。図１８を参照して、移動局２０Ａは、アンテナ２０６，２０７，２０８，２０９と、ＲＦ回路２１０１，２１０２と、ベースバンド回路２１０３と、ＧＰＳ受信機２１０４と、プログラムを実行するアプリケーションプロセッサ２１０５と、ＲＯＭ（Read Only Memory）２１０６と、ＲＡＭ（Random Access Memory）２１０７と、ＮＡＮＤ型のフラッシュメモリ１０８と、ディスプレイ２１０９と、カメラ２１１０と、マイク２１１１と、スピーカ２１１２と、ユーザによる指示の入力を受ける操作キー２１１３と、通信ＩＦ（Interface）２１１４と、ＩＣ（Integrated Circuit）カードリーダライタ２１１５と、電源ユニット２１１６とを備える。
【０１７４】
ＧＰＳ受信機２１０４は、アンテナ２１４１と、ＲＦ回路２１４２と、ベースバンド回路２１４３とを含む。ＧＰＳ受信機２１０４は、アンテナ２１４１を用いてＧＰＳ衛星９１〜９４の信号を受信する。さらに、ＧＰＳ受信機２１０４は、ＲＦ回路２１４２およびベースバンド回路２１４３における処理の結果（つまり、現在地情報）を、アプリケーションプロセッサ２１０５に出力する。
【０１７５】
アンテナ２０６〜２０９、ＲＦ回路２１０１，２１０２、およびベースバンド回路２１０３は、基地局を介した、他の移動体端末、固定電話、およびＰＣ（Personal Computer）との間における無線通信に用いられる。詳しくは、アンテナ２０６〜２０９、ＲＦ回路２１０１，２１０２、およびベースバンド回路２１０３は、移動局２０Ａが携帯電話網を用いた通信を行なうために用いられる。
【０１７６】
フラッシュメモリ２１０８は、不揮発性の半導体メモリである。フラッシュメモリ２１０８は、移動局２０Ａを制御するための各種のプログラム、並びに、移動局２０Ａが生成したデータ、移動局２０Ａの外部装置から取得したデータ等の各種データを揮発的に格納する。
【０１７７】
各構成要素２１０３〜２１１６は、相互にデータバスによって接続されている。ＩＣカードリーダライタ２１１５には、メモリカード２１５１が装着される。
【０１７８】
移動局２０Ａにおける処理は、各ハードウェアおよびアプリケーションプロセッサ２１０５により実行されるソフトウェアによって実現される。このようなソフトウェアは、フラッシュメモリ２１０８に予め記憶されている場合がある。また、ソフトウェアは、メモリカード２１５１その他の記憶媒体に格納されて、プログラムプロダクトとして流通している場合もある。あるいは、ソフトウェアは、いわゆるインターネットに接続されている情報提供事業者によってダウンロード可能なプログラムプロダクトとして提供される場合もある。このようなソフトウェアは、ＩＣカードリーダライタ２１１５その他の読取装置によりその記憶媒体から読み取られて、あるいは、アンテナ２０６〜２０９、ＲＦ回路２１０１，２１０２、およびベースバンド回路２１０３、または通信ＩＦ２１１４を介してダウンロードされた後、フラッシュメモリ２１０８に一旦格納される。そのソフトウェアは、アプリケーションプロセッサ２１０５によってフラッシュメモリ２１０８から読み出され、さらにフラッシュメモリ２１０８に実行可能なプログラムの形式で格納される。アプリケーションプロセッサ２１０５は、そのプログラムを実行する。
【０１７９】
同図に示される移動局２０Ａを構成する各構成要素は、一般的なものである。したがって、本発明の本質的な部分は、フラッシュメモリ２１０８、メモリカード２１５１その他の記憶媒体に格納されたソフトウェア、あるいはネットワークを介してダウンロード可能なソフトウェアであるともいえる。なお、移動局２０Ａの各ハードウェアの動作は周知であるので、詳細な説明は繰り返さない。
【０１８０】
なお、記録媒体としては、ＤＶＤ-ＲＯＭ、ＣＤ−ＲＯＭ、ＦＤ（Flexible Disk）、ハードディスクに限られず、磁気テープ、カセットテープ、光ディスク（ＭＯ（Magnetic Optical Disc）／ＭＤ（Mini Disc）／ＤＶＤ（Digital Versatile Disc））、光カード、マスクＲＯＭ、ＥＰＲＯＭ（Electronically Programmable Read-Only Memory）、ＥＥＰＲＯＭ（Electronically Erasable Programmable Read-Only Memory）、フラッシュＲＯＭなどの半導体メモリ等の固定的にプログラムを担持する媒体でもよい。また、記録媒体は、コンピュータが読取可能な一時的でない媒体である。
【０１８１】
ここでいうプログラムとは、ＣＰＵにより直接実行可能なプログラムだけでなく、ソースプログラム形式のプログラム、圧縮処理されたプログラム、暗号化されたプログラム等を含む。
【０１８２】
上述したように、移動局２０Ａを用いることにより、異なる帯域の周波数でセルの配置パターンが異なる場合において、同じような大きさのセル間の移動においてハンドオーバの回数を減らすことが可能となる。また、ハンドオーバの回数を減らせるため、スループットの低下と無線リソースの負荷とを低減することが可能となる。また、移動局２０Ａを用いることにより、測定報告の通知がハンドオーバのトリガとなる点を変更しないで済む。
【０１８３】
（Ｉ．変形例）
実施の形態１の「（Ｆ．変形例）」で述べたように、Ｓセルは常にダウンリンクとアップリンクとが共にアクティブなコンフィギュア状態になるとは限らず、ダウンリンクだけアクティブなコンフィギュア状態となる場合も考えられる。以下に、Ｓセルのダウンリンクのみがアクティブなコンフィギュア状態である場合の処理について説明する。
【０１８４】
具体的には、移動局２０Ａが、データ量判定部２０１１（図１５参照）を用いた処理を行なう場合について説明する。データ量判定部２０１１は、送信部２０４の送信バッファ２０２１（図１５参照）における、アップリンクのデータ量が予め定められた量以上であるか否かを判定する。
【０１８５】
図１９は、データ量判定部２０１１を用いる場合における、図１６に示したステップＳ３０８の処理の詳細を示したフローチャートである。
【０１８６】
図１９を参照して、ステップＳ４０２において、移動局２０Ａは、受信レベルを測定する。ステップＳ４０４において、移動局２０Ａは、オフセット値を示す変数を初期化する。具体的には、移動局２０Ａは、オフセット値を示す変数offsetにオフセット値ＳＬを代入する。ステップＳ４０６において、移動局２０Ａは、速度Ｖが閾値Ｖｏ以上であるか否かを判定する。移動局２０Ａは、閾値Ｖｏ以上であると判定した場合（ステップＳ４０６においてＹＥＳ）、ステップＳ４０８において、Ｐセルとはセル配置パターンが異なり、かつアクティベートなコンフィギュア状態であるＳセルについては、変数offsetの値をオフセット値ＳＬからオフセット値ＳＨに変更する。移動局２０Ａは、閾値Ｖｏ未満であると判定した場合（ステップＳ４０６においてＮＯ）、処理をステップＳ４１４に進める。
【０１８７】
ステップＳ４１０において、移動局２０Ａは、送信バッファ２０２１にアップリンクのデータが閾値ＴＸＤＡＴ以上あるか否かを判定する。当該判定は、データ量判定部２０１１により実行される。移動局２０Ａは、閾値ＴＸＤＡＴ以上であると判定した場合（ステップＳ４１０においてＹＥＳ）、処理をステップＳ４１４に進める。
【０１８８】
移動局２０Ａは、閾値ＴＸＤＡＴ未満であると判定した場合（ステップＳ４１０においてＮＯ）、ステップＳ４１２において、Ｐセルとはセル配置パターンが異なり、かつダウンリンクのみアクティベートなコンフィギュア状態であるＳセルについて、変数offsetの値をオフセット値ＳＬからオフセット値ＳＨに変更する。
【０１８９】
ステップＳ４１４において、移動局２０Ａは、各Ｓセルについて、「ＱＳｎ＞Ｑｐ＋offset」が成立するか否かを判定する。なお、ｎはＳセルの数を表す自然数である。移動局２０Ａは、ステップＳ４１４において少なくとも１つのＳセルについて上記の条件式が成立すれば、処理をステップＳ４１６に進める。移動局２０Ａは、ステップＳ４１４において全てのＳセルについて、上記の条件式が成立しなければ、処理をステップＳ４０２に進める。
【０１９０】
ステップＳ４１４において、移動局２０Ａは、測定報告（Ｅｖｅｎｔ Ａ３）を送信する。より詳しくは、移動局２０Ａは、ステップＳ２１０の条件を満たしたＳセルの識別情報を含めて測定報告メッセージを送信する。
【０１９１】
以上のように、アップリンクの送信バッファ２０２１がある閾値ＴＸＤＡＴＡ以上であれば、異なるセル配置パターンであっても速やかにハンドオーバを行なった方がよいため、移動局２０Ａは、オフセット値ＳＬよりも大きなオフセット値ＳＨを使用しない。送信バッファ２０２１が閾値ＴＸＤＡＴＡ未満であれば、移動局２０Ａは、異なるセル配置パターンかつダウンリンクのみアクティベートなコンフィギュア状態であるＳセルのオフセット値をオフセット値ＳＨとする。これにより、移動局２０Ａは、高速移動時において送信データが少ない場合には、異なるセル配置パターンのＳセルにハンドオーバしにくくなる。それゆえ、移動局２０Ａは、不要なハンドオーバ回数を減らすことができる。
【０１９２】
上記の実施の形態１および２では、上述したように、ハンドオーバを行なわないためには異なるセル配置パターンに属しているＳセルがアクティベートなコンフィギュア状態であることが条件となる。Ｓセルを非アクティベートにする方法は基地局から非アクティベートにする通知を行なう方法と、基地局から移動局に対して非アクティベーションのための時間を通知し、最後のデータ通信後から当該通知された時間が経過するまでデータ通信が発生しない場合に非アクティベートにする方法が考えられる。たとえば、移動局が高速移動しているときには上記通知する時間を延ばすことにより、非アクティベーションすることを抑えることができる。通知する時間を延ばすことに関しては、無限大という値とすることにより非アクティベートさせないことも許容される。
【０１９３】
また、上記実施の形態１および２では、複数の周波数を利用する例として、移動局と基地局とがキャリアアグリゲーションを行なう場合について説明した。具体的には、複数の周波数で同時にデータ通信ができるキャリアアグリゲーションを行ないつつ、そのうちの１つのセル（Ｐセル）でのみ通信する制御チャネルをキャリアアグリゲーション中の他のセル（Ｓセル）にハンドオーバする際の処理を説明した。しかしながら、これに限定されるものではない。実施の形態１および２で説明した処理は、複数の周波数で同時に通信を行なう通信方式と、１つの周波数でしか通信を行なわない通信方式（制御チャネルだけでなくデータ通信も１つの周波数でしか通信しない方式）とを利用可能な場合に適用できる。なお、１つの周波数でしか通信を行なわない通信方式は、たとえば複数の周波数を用いることにより発生する遅延を減少させるためなどに利用される。
【０１９４】
また、上記の実施の形態１および２では、１つの基地局内におけるハンドオーバ（いわゆる論理的ハンドオーバ）に着目して説明したが、これに限定されるものではない。上記の実施の形態１および２で説明した処理を、２つの基地局間における物理的ハンドオーバにも適用可能である。つまり、実施の形態１および２で説明した処理を、Ｐセルが第１の基地局にありかつＳセルが第２の基地局にある場合にも適用可能である。基地局同士は、有線で接続されている。それゆえ、物理的ハンドオーバへの適用は、両基地局間で必要なデータの送受信を行なうことにより実現できる。
【０１９５】
今回開示された実施の形態は例示であって、上記内容のみに制限されるものではない。本発明の範囲は特許請求の範囲によって示され、特許請求の範囲と均等の意味および範囲内でのすべての変更が含まれることが意図される。
【符号の説明】
【０１９６】
１０，１０Ａ，１１〜１５  基地局、１０ａ〜１０ｆ，１１ａ〜１１ｊ，１２ａ〜１２ｊ，１３ａ〜１３ｊ，１４ａ〜１４ｊ，１５ａ〜１５ｊ  セル、２０，２０Ａ  移動局、１００ａ，１００ｂ，１９０ａ，１９０ｂ  通信処理部、１０１ａ，１０１ｂ，２０８，２０９  送信用アンテナ、１０２ａ，１０２ｂ，２０６，２０７  受信用アンテナ、１１０ａ，１１０ｂ，１９１ａ，１９１ｂ，２０１，２０１Ａ  制御部、１１１ａ，１１１ｂ，２０４，２０５  送信部、１１２ａ，１１２ｂ，２０２，２０３  受信部、１５０ａ，１５０ｂ，１５０ｃ  無線処理部、１８０  ベースバンド部、１８１，２１０３，２１４３  ベースバンド回路、１８２  制御装置、１８３  タイミング制御部、１８４  通信インターフェイス、１８５  電源部、１００１，２００１  通信制御部、１００２  セル構成部、１００３，２００４  パターン判定部、１００４，２００３，２０００３  速度判定部、１００５  データ要求判定部、１００６，１０１１  キャリアアグリゲーション判定部、１０４１，２０３１  速度測定部、２００２  通信品質測定部、２００５  通信品質判定部、２００６  キャリアアグリゲーション判定部、２０１１  データ量判定部、２０２１  送信バッファ、２１０５  アプリケーションプロセッサ。
【図１】
2013070159.tif 000003
【図２】
2013070159.tif 000004
【図３】
2013070159.tif 000005
【図４】
2013070159.tif 000006
【図５】
2013070159.tif 000007
【図６】
2013070159.tif 000008
【図７】
2013070159.tif 000009
【図８】
2013070159.tif 000010
【図９】
2013070159.tif 000011
【図１０】
2013070159.tif 000012
【図１１】
2013070159.tif 000013
【図１２】
2013070159.tif 000014
【図１３】
2013070159.tif 000015
【図１４】
2013070159.tif 000016
【図１５】
2013070159.tif 000017
【図１６】
2013070159.tif 000018
【図１７】
2013070159.tif 000019
【図１８】
2013070159.tif 000020
【図１９】
2013070159.tif 000021
【図２０】
2013070159.tif 000022